(57)【要約】【課題】半導体メモリカードを装着したとき、前に半導体メモリカードが装着されていた装置で行われていた操作及び処理を自動的に実行すること。【解決手段】ビデオプレイヤー１０２による再生の途中で一時停止が入力されると（ＳＴ１０８：ＹＥＳ、Ｓ１０９；ＮＯ）、共通コマンド書き込み部１２３によって中断した再生処理の継続を予約する共通コマンドがＳＤメモリカード１０１の共通コマンド格納領域１１５に格納される（ＳＴ１１０）。ビデオプレイヤー１０２から抜いたＳＤメモリカード１０１を携帯電話機１０５に装着して所定時間が経過しても入力が行われない場合（ＳＴ１０３；ＮＯ、ＳＴ１１１；ＹＥＳ）、共通コマンド解釈部１２２によってＳＤメモリカード１０１の共通コマンド格納領域１１５を読み出し、記録された共通コマンドに従って再生処理部１２４はデータを復号化し（ＳＴ１０６）、映像信号と音声信号が出力される（ＳＴ１０７）。【選択図】図５
2007166345.tif 000002
【特許請求の範囲】
【請求項１】
半導体メモリカードと、
実行中の再生処理が中断されたとき、前記半導体メモリカードにおいて他の装置がアクセス可能なプライベートエリアの所定の領域に、中断した再生処理を実行することを予約するコマンドであって前記他の装置との間で共有のフォーマットをもつ共通コマンドを記録する登録手段と、
を具備することを特徴とする再生装置。
【請求項２】
半導体メモリカードと、
前記半導体メモリカードにおいて他の装置がアクセス可能なプライベートエリアの所定の領域に記録され、中断した再生処理を実行することを予約するコマンドであって前記他の装置との間で共有のフォーマットをもつ共通コマンドを読み出す読み出し手段と、
前記共通コマンドを前記フォーマットに従って解釈するコマンド解釈手段と、
前記コマンド解釈手段によって解釈された再生処理を継続して実行する処理手段と、
を具備することを特徴とする再生装置。
【請求項３】
半導体メモリカードと、
前記半導体メモリカードにおいて他の装置がアクセス可能なプライベートエリアの所定の領域に、映像録画を予約するコマンドであって前記他の装置との間で共有のフォーマットをもつ共通コマンドを記録する登録手段と、
を具備することを特徴とする記録装置。
【請求項４】
半導体メモリカードと、
前記半導体メモリカードにおいて他の装置がアクセス可能なプライベートエリアの所定の領域に記録され、映像録画を予約するコマンドであって前記他の装置との間で共有のフォーマットをもつ共通コマンドを読み出す読み出し手段と、
前記共通コマンドを前記フォーマットに従って解釈するコマンド解釈手段と、
前記コマンド解釈手段によって解釈された録画処理を継続して実行する処理手段と、
を具備することを特徴とする記録装置。
【請求項５】
半導体メモリカードと、
前記半導体メモリカードにおいて他の装置がアクセス可能なプライベートエリアの所定の領域に、所定の処理を予約するコマンドであって前記他の装置との間で共有のフォーマットをもつ共通コマンドを記録する登録手段と、
を具備することを特徴とする情報処理装置。
【請求項６】
半導体メモリカードと、
前記半導体メモリカードにおいて他の装置がアクセス可能なプライベートエリアの所定の領域に記録され、所定の処理を予約するコマンドであって前記他の装置との間で共有のフォーマットをもつ共通コマンドを読み出す読み出し手段と、
前記共通コマンドを前記フォーマットに従って解釈するコマンド解釈手段と、
前記コマンド解釈手段によって解釈された録画処理を継続して実行する処理手段と、
を具備することを特徴とする情報処理装置。
【発明の詳細な説明】
【技術分野】
【０００１】
本発明は、半導体メモリカードからデータを読み出して再生する再生装置、半導体メモリカードにデータを記録する記録装置、及び半導体メモリカードに関係するデータ処理を行う情報処理装置に関する。
【背景技術】
【０００２】
従来、ビデオデータやオーディオデータなどは、ＣＤ（コンパクトディスク）やカセットテープなどに記録されていたが、近年、より小型化されたＰＣカード、コンパクトフラッシュ（登録商標）カード、スマートメディア、マルチメディアカード、ＳＤ(Secure Digital)メモリカード、メモリスティックなどの半導体メモリカードが注目を集めている。特に、ＳＤメモリカードは、高度な著作権保護機能を備えているだけでなく大容量の高速処理が実行できるため、携帯電話機、ＳＤ−Ｖｉｄｅｏ、パソコン、ＳＤマルチカメラ（Ｄ−Ｓｎａｐ）、ディジタルハイビジョンテレビ、オーディオレコーダ、オーディオプレイヤー、及びＳＤモバイルプリンタなど多くのディジタル機器で共有されて使用されている。
【０００３】
例えば、オーディオデータなどを記録したＳＤメモリカードを、携帯電話機、パソコン、及びオーディオプレイヤーなどに装着すれば、複数のディジタル機器で音楽を再生して楽しむことができるし、同じ装置で連続して行えば、一時停止後も再生処理を継続することができる。
【特許文献１】特開２００５−１６６１６８号公報
【発明の開示】
【発明が解決しようとする課題】
【０００４】
しかしながら、ＳＤメモリカードを他の装置に差し替えたり、一度ＳＤメモリカードを抜いてしまうと、処理を継続することができなくなるので、講義の録音などを再生していた場合、一度聴いた講義を又最初から聞き直さなければならないだけでなく、新しくＳＤメモリカードを装着したビデオプレイヤー、携帯電話機、オーディオプレイヤー、カメラ、ビデオレコーダ、及びパソコンなどのディジタル機器がそれぞれ備えるユーザインターフェースに従って再生のための入力をやり直さなければならないため使い勝手が悪いという問題がある。また、ＳＤメモリカードを共有するディジタル機器が増えるほど、ＳＤメモリカードの利用範囲が広がるが、反面、ユーザがＳＤメモリカードを使いこなすためには、ディジタル機器が備える様々なユーザインターフェースを理解しなければならないため、ＳＤメモリカードが普及する障害となる。
【０００５】
本発明は、かかる点に鑑みてなされたものであり、半導体メモリカードを装着したとき、前に半導体メモリカードを装着した再生装置、記録装置、及び情報処理装置で行われていた操作及び処理を自動的に実行することができる再生装置、記録装置、及び情報処理装置を提供することを目的とする。
【課題を解決するための手段】
【０００６】
本発明の再生装置は、半導体メモリカードと、実行中の再生処理が中断されたとき、前記半導体メモリカードにおいて他の装置がアクセス可能なプライベートエリアの所定の領域に、中断した再生処理を実行することを予約するコマンドであって前記他の装置との間で共有のフォーマットをもつ共通コマンドを記録する登録手段と、を具備する構成を採る。
【０００７】
本発明の再生装置は、半導体メモリカードと、前記半導体メモリカードにおいて他の装置がアクセス可能なプライベートエリアの所定の領域に記録され、中断した再生処理を実行することを予約するコマンドであって前記他の装置との間で共有のフォーマットをもつ共通コマンドを読み出す読み出し手段と、前記共通コマンドを前記フォーマットに従って解釈するコマンド解釈手段と、前記コマンド解釈手段によって解釈された再生処理を継続して実行する処理手段と、を具備する構成を採る。
【発明の効果】
【０００８】
本発明によれば、半導体メモリカードを装着したとき、前に半導体メモリカードを装着した再生装置、記録装置、及び情報処理装置で行われていた操作及び処理を自動的に実行することができる。
【発明を実施するための最良の形態】
【０００９】
以下、本発明の実施の形態１から実施の形態７について着脱可能な半導体メモリとしてＳＤメモリカードを例として図面を参照して詳細に説明する。図１は、本発明の実施の形態の概要を説明する図である。本発明は、ＳＤメモリカード１０１、２０１、３０１、４０１、５０１、６０１、７０１と、ＳＤメモリカードに関する処理を実行するビデオプレイヤー１０２、携帯電話機１０５、オーディオプレイヤー２０２、カメラ３０２、ビデオレコーダ４０２、及びパソコン５０２などのディジタル機器によって実施され、ディジタル機器にＳＤメモリカードを装着して、実行中に中断されたＳＤメモリカードに関する処理、及び他のディジタル機器で実行したいＳＤメモリカードに関する操作を、本発明のビデオプレイヤー１０２、携帯電話機１０５、オーディオプレイヤー２０２、カメラ３０２、ビデオレコーダ４０２、及びパソコン５０２などのディジタル機器の間で共通のフォーマットをもつ予約コマンドによってＳＤメモリカードに記録し、ＳＤメモリカードが他のディジタル機器に差し替えられたとき、新たにＳＤメモリカードを装着したディジタル機器がＳＤメモリカードに記録された予約コマンドを読み出し、読み出された予約コマンドを共通のフォーマットに従って解釈して差し替え前のディジタル機器において記録された処理及び操作を実行することによって、ＳＤメモリカードを介してＳＤメモリカードに関する処理及び操作を実行する複数のディジタル機器の間の相互連携を図る。
【００１０】
実施の形態１及び実施の形態２は、前のディジタル機器で中断した処理をＳＤメモリカードに記録して、次にＳＤメモリカードが装着されるディジタル機器において処理を継続して実行するものであり、実施の形態４から実施の形態６は、次にＳＤメモリカードを装着するディジタル機器で行う操作をＳＤメモリカードに予約して、ＳＤメモリカードがディジタル機器に挿入されると、予約された処理が実行されるものであり、実施の形態７は、他のディジタル機器で行う複数の処理をＳＤメモリカードに記録して実行するものである。
【００１１】
（実施の形態１）
実施の形態１は、本発明の再生装置としてビデオプレイヤー及び携帯電話機を例とし、本発明の再生装置を用いて本発明の半導体メモリカードであるＳＤメモリカードに記録されたビデオデータの再生を実行中に再生を中断し、ＳＤメモリカードを抜いて本発明の他の再生装置である携帯電話機にＳＤメモリカードを装着すると、自動的にビデオの再生が継続されるものである。
【００１２】
図２は、本発明の実施の形態１に係るＳＤメモリカードに記録されたビデオデータの再生処理が他の再生装置において継続して再生される様子を示す図である。図２（ａ）は、ビデオプレイヤーに装着したＳＤメモリカードに記録されたビデオデータの再生を中断した様子を示す図、図２（ｂ）は、ＳＤメモリカードを携帯電話機に装着して再生が継続される様子を示す図である。
【００１３】
図２に示すように、ビデオプレイヤー１０２は、内部にＳＤメモリカード１０１を装着し、ビデオデータの再生をキーによって入力する操作部１０３と、映像を表示する表示部１０４とを備え、同様に、携帯電話機１０５は、内部にＳＤメモリカード１０１を装着し、キーによる入力を行う操作部１０６と、映像を表示する表示部１０７とを備えるが、中断したビデオデータの再生処理を継続して実行する携帯電話機１０５においては、操作部１０６を備えなくともよい。
【００１４】
ユーザが、ＳＤメモリカード１０１をビデオプレイヤー１０２に装着して操作部１０３から再生を入力し、表示部１０４に映像を表示してビデオを再生した後、操作部１０３から中断を入力してビデオプレイヤー１０２からＳＤメモリカード１０１を抜き、抜いたＳＤメモリカード１０１を携帯電話機１０５に装着して、所定時間の間操作部１０６から入力を行わなければ、携帯電話機１０５は、自動的にビデオプレイヤー１０２で行っていた再生処理を継続して実行し、ビデオプレイヤー１０２で見ていた映像の続きを表示部１０７に表示する。
【００１５】
図３は、本発明の実施の形態１に係るＳＤメモリカードのメモリ構成を示す図である。図３に示すように、ＳＤメモリカード１０１は、システム領域１１１と、プロテクト領域１１２と、ユーザデータ領域１１３とを備え、プロテクト領域１１２はプライベート領域１１４を備え、プライベート領域１１４の特定のアドレスに共通コマンド格納領域１１５が設けられる。
【００１６】
ユーザデータ領域１１３は、管理領域１１６とデータ領域１１７とを備える書込可能な領域であり、管理領域１１６は、データ領域１１７に記録されるファイルのアドレス情報などを格納する領域であり、データ領域１１７は、ＳＤメモリカード１０１と接続される再生装置、記録装置、及び情報処理装置などから読み書きされる音楽データや画像データなどのファイルなどをいわゆるコンテンツ情報として格納する領域であり、ファイルシステムにより管理される。
【００１７】
システム領域１１１は、ＳＤメモリカード１０１のそれぞれについてユニークな値を持つメディアＩＤが格納される読み出し専用の領域であり、ここに格納されたメディアＩＤを書き換えることはできない。
【００１８】
プロテクト領域１１２は、ユーザデータ領域１１３同様、データ書き込みが可能な領域であるが、ユーザデータ領域１１３では、データの読み書きが自由に行えるが、プロテクト領域１１２では、ＳＤメモリカード１０１と接続されたディジタル機器とＳＤメモリカード１０１との間で相互認証が成功した場合にのみ読み書きが許可される。
【００１９】
プライベート領域１１４は、プロテクト領域１１２に設けられるため、ＳＤメモリカード１０１との間で相互認証が成功したビデオプレイヤー１０２又は携帯電話機１０５に限定してアクセスが許可される。
【００２０】
共通コマンド格納領域１１５は、プライベート領域１１４の特定のアドレスに設けられるため、共通コマンド格納領域１１５へのデータの読み出しや書き込みは、ＳＤメモリカード１０１との間で相互認証が成功したビデオプレイヤー１０２又は携帯電話機１０５であって特定のアドレスを認知しているビデオプレイヤー１０２又は携帯電話機１０５にだけ実行可能となる。
【００２１】
図４は、本発明の実施の形態１に係るビデオプレイヤー及び携帯電話機などの再生装置の構成を示すブロック図である。図４に示すように、ビデオプレイヤー１０２及び携帯電話機１０５は、同じ再生装置なので、同一機能を有する部分には同一の番号を与える。
【００２２】
ビデオプレイヤー１０２及び携帯電話機１０５は、ＳＤメモリカード１０１のユーザデータ領域１１３に記録されたデータを読み取る読み取り部１２１と、ＳＤメモリカード１０１の共通コマンド格納領域１１５を読み取って記録される共通コマンドを解釈する共通コマンド解釈部１２２と、ＳＤメモリカード１０１の共通コマンド格納領域１１５に共通コマンドを書き込む共通コマンド書き込み部１２３と、キーによる入力を行う操作部１０３及び操作部１０６と、読み取り部１２１によって読み込まれたビデオデータとオーディオデータを復号化する再生処理部１２４と、再生した映像を表示する表示部１０４及び表示部１０７と、表示部１０４の表示制御を行う表示制御部１２５と、再生した音声を出力するスピーカ１２６と、スピーカ１２６に音声を出力する音声出力部１２７と、入力を待つ所定時間をカウントするタイマ１２９とを制御部１２８に接続して備える。
【００２３】
以上のように構成されたビデオプレイヤー１０２及び携帯電話機１０５などの再生装置の動作について説明する。図５は、本発明の実施の形態１に係る再生装置の動作を説明するフロー図である。図５に示すように、ビデオプレイヤー１０２の制御部１２８は、ＳＤメモリカード１０１が装着されたことを検知すると（ＳＴ１０１；ＹＥＳ）、読み取り部１２１は、ＳＤメモリカード１０１の管理領域１１６及びデータ領域１１７に記録されたファイル一覧又はサムネイル画像などを表示し（ＳＴ１０２）、ユーザの入力を待つ（ＳＴ１０３；ＮＯ、ＳＴ１１１；ＮＯ）。
【００２４】
ユーザが、ファイル一覧又はサムネイル画像からファイルを選択して操作部１０３から再生を入力すると（ＳＴ１０３；ＹＥＳ）、ビデオプレイヤー１０２の制御部１２８は、読み取り部１２１によってＳＤメモリカード１０１に記録されたファイルの先頭アドレスから（ＳＴ１０４）、順にデータ領域１１７に記録されたデータを読み出し（ＳＴ１０５）、再生処理部１２４は、読み出したビデオデータとオーディオデータを復号化して（ＳＴ１０６）、復号化した映像信号を表示制御部１２５によって表示部１０４に表示し、復号化した音声信号を音声出力部１２７からスピーカ１２６に出力する（ＳＴ１０７）。
【００２５】
ファイルの終了まで再生するか、再生の途中で操作部１０３から一時停止又は再生中止が入力されるか、又は電源断を検出するまでは（ＳＴ１０８：ＮＯ）、ＳＴ１０５に戻ってＳＴ１０７までの再生出力処理を繰り返す。
【００２６】
ＳＴ１０８において、ファイルの終了まで再生すると（ＳＴ１０８：ＹＥＳ、ＳＴ１０９；ＹＥＳ）、共通コマンドを格納することなく処理を終了する。
【００２７】
ＳＴ１０８において、操作部１０３から一時停止又は再生中止が入力されるか、又はビデオプレイヤー１０２の電源断を検出すれば（ＳＴ１０８：ＹＥＳ、ＳＴ１０９；ＮＯ）、ビデオプレイヤー１０２の制御部１２８は、再生処理部１２４が実行していた再生処理を中断し、共通コマンド書き込み部１２３によって中断した再生処理の継続を予約する共通コマンドをＳＤメモリカード１０１の共通コマンド格納領域１１５に格納する（ＳＴ１１０）。
【００２８】
共通コマンドとは、ビデオプレイヤー１０２及び携帯電話機１０５など本発明の再生装置の間で共通のフォーマットをもち、ビデオプレイヤー１０２及び携帯電話機１０５など本発明の再生装置の共通コマンド解釈部１２２によって解釈することができるコマンドのことである。
【００２９】
図６は、本発明の実施の形態１に係る共通コマンド格納領域とユーザデータ領域に記録されるデータの例を示す図である。図６に示すように、プロテクト領域１１２の共通コマンド格納領域１１５には、中断した再生処理の継続を予約する共通コマンドとして、例えば、「Ｒｅｐｌａｙ  Ｆｉｌｅ＝ファイルＡ，Ｆｒｏｍ  Ｐｏｉｎｔｅｒ＝ＢＢＢ」などと記録される。
【００３０】
「Ｒｅｐｌａｙ」は、再生処理を継続することを予約する共通コマンドであり、「Ｆｉｌｅ＝ファイルＡ」は、継続して再生するファイルを特定し、「Ｆｒｏｍ  Ｐｏｉｎｔｅｒ＝ＢＢＢ」は、ファイルＡにおいて継続して再生するファイルポインタの位置を示す。
【００３１】
ユーザデータ領域１１３の管理領域１１６には、ファイル名１３１毎にデータ領域１１７に記録されるファイルの先頭アドレス１３２と終了アドレス１３３が記録されている。例えば、ファイルＡのデータは、データ領域１１７のアドレスＣＣＣとアドレスＤＤＤの間に記録され、中断前までに、ビデオプレイヤー１０２によってファイルポインタが示すＢＢＢの直前まで再生が終了したので、次の再生装置ではファイルポインタが示すＢＢＢの位置から再生すれば、継続して再生することが可能となる。
【００３２】
次に、図２に示すように、ＳＤメモリカード１０１をビデオプレイヤー１０２から抜いて、携帯電話機１０５に装着すると、携帯電話機１０５の制御部１２８は、ＳＤメモリカード１０１が装着されたことを検知して（ＳＴ１０１；ＹＥＳ）、ＳＤメモリカード１０１の管理領域１１６及びデータ領域１１７に記録されたファイル一覧又はサムネイル画像などを表示し（ＳＴ１０２）、ユーザの入力を待つ（ＳＴ１０３；ＮＯ、ＳＴ１１１；ＮＯ）。
【００３３】
タイマ１２９によってカウントされる所定時間が経過してもユーザによる入力が行われない場合（ＳＴ１０３；ＮＯ、ＳＴ１１１；ＹＥＳ）、携帯電話機１０５の制御部１２８は、共通コマンド解釈部１２２によってＳＤメモリカード１０１の共通コマンド格納領域１１５を読み出す。
【００３４】
共通コマンド格納領域１１５に共通コマンドが記録されていれば（ＳＴ１１２；ＹＥＳ）、携帯電話機１０５の読み取り部１２１は、共通コマンド「Ｒｅｐｌａｙ  Ｆｉｌｅ＝ファイルＡ，Ｆｒｏｍ  Ｐｏｉｎｔｅｒ＝ＢＢＢ」に従ってファイルポインタの示すファイルＡのＢＢＢの位置から（ＳＴ１１３）、順にデータ領域１１７に記録されたデータを読み出し（ＳＴ１０５）、再生処理部１２４は、読み出したビデオデータとオーディオデータを復号化して（ＳＴ１０６）、復号化した映像信号を表示制御部１２５によって表示部１０４に表示し、復号化した音声信号を音声出力部１２７からスピーカ１２６に出力する（ＳＴ１０７）。
【００３５】
共通コマンド「Ｒｅｐｌａｙ  Ｆｉｌｅ＝ファイルＡ，Ｆｒｏｍ  Ｐｏｉｎｔｅｒ＝ＢＢＢ」の処理が終了すると、携帯電話機１０５の共通コマンド書き込み部１２３は、共通コマンド格納領域１１５から実行した共通コマンド「Ｒｅｐｌａｙ  Ｆｉｌｅ＝ファイルＡ，Ｆｒｏｍ  Ｐｏｉｎｔｅｒ＝ＢＢＢ」を削除する。
【００３６】
以上のようにして、ビデオプレイヤー１０２で中断された再生処理が携帯電話機１０５において自動的に継続して実行される。
【００３７】
ＳＴ１１１において、ユーザが所定時間の経過前にファイルを選択して操作部１０６から再生を指示すると（ＳＴ１１１；ＮＯ、ＳＴ１０３；ＹＥＳ）、携帯電話機１０５の制御部１２８は、読み取り部１２１によって選択されたファイルの先頭アドレス１３２から（ＳＴ１０４）、順にデータ領域１１７に記録されたデータを読み出し（ＳＴ１０５）、再生処理部１２４は、読み出したビデオデータとオーディオデータを復号化して（ＳＴ１０６）、復号化した映像信号を表示制御部１２５によって表示部１０４に表示し、復号化した音声信号を音声出力部１２７からスピーカ１２６に出力する（ＳＴ１０７）。
【００３８】
ＳＴ１１２において、共通コマンドが記録されていなければ（ＳＴ１１２；ＮＯ）、ＳＴ１０３に戻って、所定時間が経過しても（ＳＴ１１１；ＹＥＳ、ＳＴ１１２；ＮＯ）、ユーザの入力を待つ（ＳＴ１０３；ＮＯ）。
【００３９】
このように、本発明の実施の形態１によれば、ＳＤメモリカード１０１に共通コマンド格納領域１１５を備え、ビデオプレイヤー１０２において再生処理が中断されたとき、共通コマンド書き込み部１２３によって中断した再生処理の継続を予約する共通コマンドをＳＤメモリカード１０１の共通コマンド格納領域１１５に記録し、新たに携帯電話機１０５にＳＤメモリカード１０１が装着されると、携帯電話機１０５の制御部１２８は、所定時間が経過してもユーザによる入力が行わない場合、共通コマンド解釈部１２２によってＳＤメモリカード１０１の共通コマンド格納領域１１５を読み出し、記録されている共通コマンドに従って再生処理部１２４によって中断した再生処理を継続して実行するので、ユーザは、ビデオプレイヤー１０２で実行していた再生処理を自動的に携帯電話機１０５で継続して実行させることができる。
【００４０】
尚、再生装置は、ビデオプレイヤー１０２と携帯電話機１０５の組み合わせに限定されない。ＳＤメモリカード１０１によって互いに認証される再生装置であってＳＤメモリカード１０１の共通コマンド格納領域１１５の位置を認知していれば、同じ再生装置であってもよいし、同じ種類の再生装置であってもよいし、オーディオデータとビデオデータの再生処理部１２４を備えていれば、種類の異なる再生装置でもよい。
【００４１】
尚、半導体メモリカードは、ＳＤメモリカード１０１に限定されない。半導体メモリカードに接続されるディジタル機器相互の連携が取れれば、他のＰＣカード、コンパクトフラッシュ（登録商標）カード、スマートメディア、マルチメディアカード、及びメモリスティックなどを用いてもよい。
【００４２】
尚、共通コマンド格納領域１１５をＳＤメモリカード１０１のプライベート領域１１４に設けたが、ＳＤメモリカード１０１に接続されるディジタル機器相互の連携が取れれば、共通コマンド格納領域１１５を設ける場所は、必ずしもプライベート領域１１４に限定されない。
【００４３】
尚、実施の形態１においては、中断された再生処理を継続して実行するタイミングを、ファイル一覧又はサムネイル画像などを表示して所定時間が経過してもユーザによる入力が行われない場合（ＳＴ１０３；ＮＯ、ＳＴ１１１；ＹＥＳ）としているが、中断された再生処理を継続して実行するタイミングは、ファイル一覧又はサムネイル画像などを表示して所定時間が経過してもユーザによる入力が行われない場合に限定されない。ＳＤメモリカード１０１をビデオプレイヤー１０２から抜いて、携帯電話機１０５に装着したとき（ＳＴ１０１；ＹＥＳ）、中断された再生処理を継続して実行してもよいし、ＳＤメモリカード１０１をビデオプレイヤー１０２から抜いて、携帯電話機１０５に装着して所定時間が経過してもユーザによる入力が行われない場合としてもよい。
【００４４】
尚、実施の形態１においては、共通コマンド格納領域１１５に記録される共通コマンドを、例えば、「Ｒｅｐｌａｙ  Ｆｉｌｅ＝ファイルＡ，Ｆｒｏｍ  Ｐｏｉｎｔｅｒ＝ＢＢＢ」のように、一つとしたが、共通コマンド格納領域１１５に記録される再生処理の継続を予約する共通コマンドを、複数記録してもよい。その場合、継続して再生するファイル、例えば、「Ｆｉｌｅ＝ファイルＡ」ごとに、「Ｆｒｏｍ  Ｐｏｉｎｔｅｒ＝ＢＢＢ」などの継続して再生するファイルポインタの位置を記録してもよい。又、同じファイルの中断による再生処理の継続が予約された場合、同じファイルを対象とした再生処理を複数記録するのではなく、同じファイルの中断による再生処理であれば、以前に記録したファイルポインタの位置を更新するようにしてもよい。更に、継続して再生するファイル、及びファイルポインタの位置を共通コマンド格納領域１１５以外のデータ領域１１７に記録してもよい。
【００４５】
（実施の形態２）
実施の形態２は、実施の形態１において本発明の再生装置で本発明のＳＤメモリカードに記録されたプレイリストによる再生を実行中に再生を中断し、本発明の他の再生装置にＳＤメモリカードを装着すると、自動的にプレイリストによる再生が継続されるものである。
【００４６】
図７は、本発明の実施の形態２に係るＳＤメモリカードに記録されたプレイリストよる楽曲の演奏が他の再生装置において継続して実行される様子を説明する図である。図７において、図２に示す実施の形態１に係るＳＤメモリカードに記録されたビデオデータが他の再生装置において継続して再生される様子を示す図と同じ構成については同一の符号を付して説明を省略する。図７（ａ）は、オーディオプレイヤーに装着したＳＤメモリカードに記録されたプレイリストによる楽曲の演奏を中断した様子を示す図、図７（ｂ）は、ＳＤメモリカードを携帯電話機に装着して楽曲の演奏が継続される様子を示す図である。
【００４７】
図７に示すように、オーディオプレイヤー２０２は、内部にＳＤメモリカード２０１を装着し、再生などの入力を行う操作部２０３と、プレイリストなど操作のためのガイダンスなどを表示する表示部２０４とを備え、同様に、携帯電話機１０５は、内部にＳＤメモリカード２０１を装着し、実施の形態１と同じ構成を備えるが、オーディオプレイヤー２０２の表示部２０４及び携帯電話機１０５の表示部１０７は、操作のためのガイダンス表示などを行うだけなので備えなくともよいし、中断した再生を継続して実行する携帯電話機１０５においては、操作部１０６を備えなくともよい。
【００４８】
本発明の実施の形態２に係るＳＤメモリカードのメモリ構成を示す図は、図３に示す本発明の実施の形態１に係るＳＤメモリカードのメモリ構成を示す図と同じである。
【００４９】
図８は、本発明の実施の形態２に係るオーディオプレイヤー及び携帯電話機などの再生装置の構成を示すブロック図を示す。図８において、図４に示す実施の形態１に係る再生装置の構成を示すブロック図と同じ構成については同一の符号を付して説明を省略する。
【００５０】
図８に示すように、本発明の実施の形態２に係る再生装置の構成を示すブロック図は、図４に示す本発明の実施の形態１に係る再生装置の構成を示すブロック図と、再生処理部２２４がオーディオデータの再生処理のみを実行するところと、オーディオプレイヤー２０２の表示部２０４及び携帯電話機１０５の表示部１０７が、操作のためのガイダンス表示のみを行うところが異なり、オーディオプレイヤー２０２の表示部２０４、携帯電話機１０５の表示部１０７、携帯電話機１０５の操作部１０６、及びオーディオプレイヤー２０と携帯電話機１０５の表示制御部１２８を備えなくともよい。
【００５１】
図９は、本発明の実施の形態２に係るプレイリストについての説明図である。プレイリストは、ユーザの好みに合った複数の楽曲を連続して演奏するサービスであり、例えば、図９に示すように、プレイリスト２３１を「よく聴く楽曲」、「たまに聴く楽曲」、及び「休日に聴く楽曲」などと複数のリスト２３２に分類して、分類した「よく聴く楽曲」のリスト２３２に、予め「楽曲ａ」、「楽曲ｂ」、「楽曲ｃ」・・・などのように楽曲の記録されたファイル２３３を複数登録することができる。
【００５２】
ユーザがプレイリスト２３１から視聴したいリスト２３２を選択すると、選択されたリスト２３２に登録された複数の楽曲のファイル２３３を順番に、又はランダムに繰り返して再生して演奏する。また、演奏方法として、イントロ再生を指定すると、楽曲のイントロだけを再生するなどの特殊再生を行うこともできる。
【００５３】
プレイリスト２３１に好みの楽曲を登録しておくと、演奏が終了する度に次の楽曲を一々選曲することなく、好みの楽曲の演奏を連続して楽しむことができるので、ドライブ中やバックグラウンドミュージックなどとして広く利用されている。
【００５４】
プレイリスト２３１を作成する方法は、ユーザが登録する以外にも色々な方法があるが、本発明では、プレイリスト２３１をＳＤメモリカード２０１のユーザデータ領域１１３に作成しなければならない。
【００５５】
以上のように構成されたオーディオプレイヤー２０２及び携帯電話機１０５などの再生装置の動作について説明する。図１０は、本発明の実施の形態２に係るプレイリストを用いた再生装置の動作を説明するフロー図である。図１０に示す本発明の実施の形態２に係る再生装置の動作を説明するフロー図において、図５に示す実施の形態１に係る再生装置の動作を説明するフロー図と同じ処理ステップについては同一の符号を付して説明を省略する。
【００５６】
図１０に示すように、オーディオプレイヤー２０２の制御部１２８は、ＳＤメモリカード２０１が装着されたことを検知すると（ＳＴ１０１；ＹＥＳ）、ＳＤメモリカード２０１に記録されたプレイリスト２３１を表示し（Ｓ２０１）、ユーザの入力を待つ（ＳＴ２０２；ＮＯ、ＳＴ１１１；ＮＯ）。
【００５７】
ユーザが、プレイリスト２３１からリスト２３２を選択して操作部２０３から再生を入力すると（ＳＴ２０２；ＹＥＳ）、オーディオプレイヤー２０２の制御部１２８は、読み取り部１２１によってＳＤメモリカード１０１の管理領域１１６に記録された選択されたリスト２３２の先頭アドレスに従ってデータ領域１１７に記録されたリスト２３２を読み出し（ＳＴ２０３）、指定された再生方法に従って読み出したリスト２３２から再生する楽曲の記録されたファイルを決定して（ＳＴ２０４）、管理領域１１６に記録されたファイルの先頭アドレス１３２から（ＳＴ１０４）、順にデータ領域１１７に記録されたデータを読み出し（ＳＴ１０５）、再生処理部２２４は、読み出したオーディオデータを復号化して（ＳＴ２０５）、音声出力部１２７からスピーカ１２６に出力する（ＳＴ２０６）。
【００５８】
ファイルの終了まで再生するか、再生の途中で操作部２０３から一時停止又は再生中止が入力されるか、又は電源断を検出するまでは（ＳＴ１０８：ＮＯ）、ＳＴ１０５に戻ってＳＴ２０６までの再生出力処理を繰り返す。
【００５９】
ＳＴ１０８において、ファイル終了まで再生すると（ＳＴ１０８：ＹＥＳ、ＳＴ２０７；ＹＥＳ）、ＳＴ２０４に戻って、リスト２３２に登録された順に、又はリスト２３２からランダムに楽曲の記録されたファイルを選択して演奏を繰り返す。
【００６０】
ＳＴ１０８において、再生の途中で操作部２０３から一時停止又は再生中止が入力されるか、又はオーディオプレイヤー２０２の電源断を検出すれば（ＳＴ１０８：ＹＥＳ、Ｓ２０７；ＮＯ）、オーディオプレイヤー２０２の制御部１２８は、再生処理部２２４が実行していた再生処理を中断し、共通コマンド書き込み部１２３によって中断した再生処理の継続を予約する共通コマンドをＳＤメモリカード１０１の共通コマンド格納領域１１５に格納する（ＳＴ１１０）。
【００６１】
共通コマンドとは、オーディオプレイヤー２０２及び携帯電話機１０５など本発明の再生装置の間で共通のフォーマットをもち、オーディオプレイヤー２０２及び携帯電話機１０５など本発明の再生装置の共通コマンド解釈部１２２によって解釈することができるコマンドのことである。
【００６２】
図１１は、本発明の実施の形態２に係る共通コマンド格納領域とユーザデータ領域に記録されるデータの例を示す図である。図１１において、図６に示す実施の形態１に係る共通コマンド格納領域とユーザデータ領域に記録されるデータの例を示す図と同じ構成については同一の符号を付して説明を省略する。
【００６３】
図１１に示すように、プロテクト領域１１２の共通コマンド格納領域１１５には、中断した再生処理の継続を予約する共通コマンドとして、例えば、「Ｒｅｐｌａｙ  Ｐｌａｙｌｉｓｔ＝リストＥ，Ｆｉｌｅ＝ファイルＡ，Ｆｒｏｍ  Ｐｏｉｎｔｅｒ＝ＢＢＢ」などと記録される。
【００６４】
「Ｒｅｐｌａｙ」は、再生処理を継続することを予約する共通コマンドであり、「Ｐｌａｙｌｉｓｔ＝リストＥ」は、プレイリストによる再生中であることを示して再生中のリストを特定し、「Ｒａｎｄｏｍ」は、再生方法がランダム再生であることを示し、「Ｆｉｌｅ＝ファイルＡ」は、リストＥの中で継続して再生する楽曲ファイルを特定し、「Ｆｒｏｍ  Ｐｏｉｎｔｅｒ＝ＢＢＢ」は、ファイルＡにおいて継続して再生するファイルポインタの位置を示す。
【００６５】
ユーザデータ領域１１３の管理領域１１６には、データ領域１１７におけるプレイリスト、リスト、及びファイルなどのファイル名１３１と、ファイル名１３１毎にデータ領域１１７に記録されるファイルの先頭アドレス１３２、終了アドレス１３３、及びイントロ終了アドレス２３４などが記録されている。例えば、ファイルＡのオーディオデータは、データ領域１１７のアドレスＣＣＣとアドレスＤＤＤの間に記録され、中断前までに、オーディオプレイヤー２０２によってファイルポインタが示すＢＢＢの直前まで再生が終了したので、次の再生装置ではファイルポインタが示すＢＢＢの位置から再生すれば、継続して再生することが可能となる。
【００６６】
次に、図７に示すように、ＳＤメモリカード２０１をオーディオプレイヤー２０２から抜いて、携帯電話機１０５に装着すると、携帯電話機１０５の制御部１２８は、ＳＤメモリカード２０１が装着されたことを検知して（ＳＴ１０１；ＹＥＳ）、ＳＤメモリカード２０１の管理領域１１６及びデータ領域１１７に記録されたプレイリスト２３１を表示し（ＳＴ２０１）、ユーザの入力を待つ（ＳＴ２０２；ＮＯ、ＳＴ１１１；ＮＯ）。
【００６７】
タイマ１２９によってカウントされる所定時間が経過してもユーザによる入力が行われない場合（ＳＴ２０２；ＮＯ、ＳＴ１１１；ＹＥＳ）、携帯電話機１０５の制御部１２８は、共通コマンド解釈部１２２によってＳＤメモリカード２０１の共通コマンド格納領域１１５を読み出す。
【００６８】
共通コマンド格納領域１１５に共通コマンドが記録されていれば（ＳＴ１１２；ＹＥＳ）、携帯電話機１０５の読み取り部１２１は、共通コマンド「Ｒｅｐｌａｙ  Ｐｌａｙｌｉｓｔ＝リストＥ，Ｒａｎｄｏｍ，Ｆｉｌｅ＝ファイルＡ，Ｆｒｏｍ  Ｐｏｉｎｔｅｒ＝ＢＢＢ」に従ってリストＥを読み出して（ＳＴ２０８）、ファイルポインタの示すファイルＡのＢＢＢの位置から（ＳＴ１１３）、順にデータ領域１１７に記録されたデータを読み出し（ＳＴ１０５）、再生処理部２２４は、読み出したオーディオデータを復号化して（ＳＴ２０５）、復号化した音声信号を音声出力部１２７からスピーカ１２６に出力する（ＳＴ２０６）。
【００６９】
以上のようにして、オーディオプレイヤー２０２で中断されたプレイリストによる再生処理が携帯電話機１０５において自動的に継続して実行される。
【００７０】
ＳＴ１１１において、ユーザが所定時間の経過前に入力を行うと（ＳＴ１１１；ＮＯ、ＳＴ２０２；ＹＥＳ）、携帯電話機１０５の制御部１２８は、読み取り部１２１によって選択されたリスト２３２の先頭アドレス１３２に従ってデータ領域１１７に記録されたリスト２３２を読み出し（ＳＴ２０３）、指定された再生方法に従って読み出したリスト２３２から再生する楽曲の記録されたファイルを決定して（ＳＴ２０４）、管理領域１１６に記録されたファイルの先頭アドレス１３２から（ＳＴ１０４）、順にデータ領域１１７に記録されたデータを読み出し（ＳＴ１０５）、再生処理部２２４は、読み出したオーディオデータを復号化して（ＳＴ２０５）、音声出力部１２７からスピーカ１２６に出力する（ＳＴ２０６）。
【００７１】
ＳＴ１１２において、共通コマンドが記録されていなければ（ＳＴ１１２；ＮＯ）、ＳＴ２０２に戻って、所定時間が経過しても（ＳＴ１１１；ＹＥＳ、ＳＴ１１２；ＮＯ）、ユーザの入力を待つ（ＳＴ２０２；ＮＯ）。
【００７２】
このように、本発明の実施の形態２によれば、ＳＤメモリカード１０１に共通コマンド格納領域１１５を備え、オーディオプレイヤー２０２において、プレイリスト２３１による再生処理が中断されたとき、共通コマンド書き込み部１２３によって、中断したプレイリスト２３１による再生処理の継続を予約する共通コマンドをＳＤメモリカード１０１の共通コマンド格納領域１１５に記録し、新たに携帯電話機１０５にＳＤメモリカード１０１が装着されると、携帯電話機１０５の制御部１２８は、所定時間が経過してもユーザによる入力が行わない場合、共通コマンド解釈部１２２によってＳＤメモリカード１０１の共通コマンド格納領域１１５を読み出し、記録されている共通コマンドに従って再生処理部２２４によって中断したプレイリスト２３１による再生処理を継続して実行するので、ユーザは、オーディオプレイヤー２０２で実行していたプレイリスト２３１による再生処理を自動的に携帯電話機１０５で継続して実行させることができる。
【００７３】
尚、再生装置は、オーディオプレイヤー２０２と携帯電話機１０５の組み合わせに限定されない。ＳＤメモリカード２０１によって互いに認証される再生装置であってＳＤメモリカード２０１の共通コマンド格納領域１１５の位置を認知していれば、同じ再生装置であってもよいし、同じ種類の再生装置であってもよいし、オーディオデータの再生処理部２２４を備えていれば、種類の異なる再生装置でもよい。
【００７４】
尚、実施の形態２においては、中断されたプレイリストによる再生処理を継続して実行するタイミングを、プレイリスト２３１を表示して所定時間が経過してもユーザによる入力が行われない場合（ＳＴ２０２；ＮＯ、ＳＴ１１１；ＹＥＳ）としているが、中断された再生処理を継続して実行するタイミングは、プレイリスト２３１を表示して所定時間が経過してもユーザによる入力が行われない場合に限定されない。ＳＤメモリカード２０１をオーディオプレイヤー２０２から抜いて、携帯電話機１０５に装着したとき（ＳＴ１０１；ＹＥＳ）、中断されたプレイリストによる再生処理を継続して実行してもよいし、ＳＤメモリカード２０１をオーディオプレイヤー２０２から抜いて、携帯電話機１０５に装着して所定時間が経過してもユーザによる入力が行われない場合としてもよい。
【００７５】
（実施の形態３）
実施の形態３は、本発明の記録装置である携帯電話機において本発明のＳＤメモリカードにカメラ撮影を予約し、携帯電話機に装着していたＳＤメモリカードを抜いて本発明の記録装置であるカメラに挿入すると、自動的に指定された撮影条件でカメラ撮影を行うものである。
【００７６】
図１２は、本発明の実施の形態３に係るＳＤメモリカードに記録されたカメラ撮影の予約が他の記録装置において実行される様子を説明する図である。図１２において、図２に示す実施の形態１に係るＳＤメモリカードに記録されたビデオデータが他の再生装置において継続して再生される様子を示す図と同じ構成については同一の符号を付して説明を省略する。図１２（ａ）は、携帯電話機を使ってＳＤメモリカードにカメラ撮影を予約する様子を示す図、図１２（ｂ）は、ＳＤメモリカードをカメラに装着すると自動的に撮影が実行される様子を示す図である。
【００７７】
図１２に示すように、カメラ３０２は、内部にＳＤメモリカード３０１を装着し、同様に、携帯電話機１０５は、内部にＳＤメモリカード３０１を装着し、実施の形態１と同じ構成を備えるが、携帯電話機１０５の表示部１０７は、操作のためのガイダンス表示などを行うだけなので備えなくともよい。
【００７８】
本発明の実施の形態３に係るＳＤメモリカードのメモリ構成を示す図は、図３に示す本発明の実施の形態１に係るＳＤメモリカードのメモリ構成を示す図と同じである。
【００７９】
図１３は、本発明の実施の形態３に係る携帯電話機及びカメラなどの記録装置の構成を示すブロック図を示す。図１３において、図４に示す実施の形態１に係る再生装置の構成を示すブロック図と同じ構成については同一の符号を付して説明を省略する。
【００８０】
図１３に示すように、携帯電話機１０５及びカメラ３０２は、ＳＤメモリカード３０１のユーザデータ領域１１３に画像データを記録する書き込み部３２１と、レンズ３２２を含む撮影部３２３と、撮影部３２３を調整してカメラ撮影を行う撮影調整部３２４と、撮影した画像データを圧縮符号化する符号化処理部３２５と、画像データを記録する内蔵メモリ３２６と、予約された撮影条件を管理する予約管理部３２７とを加えて備えるが、携帯電話機１０５を撮影の予約にのみ使用する場合、携帯電話機１０５は、書き込み部３２１、レンズ３２２、撮影部３２３、撮影調整部３２４、符号化処理部３２５、内蔵メモリ３２６、及び予約管理部３２７を備えなくともよい。
【００８１】
以上のように構成された携帯電話機１０５及びカメラ３０２などの記録装置の動作について説明する。図１４は、本発明の実施の形態３に係る記録装置において他の記録装置によるカメラ撮影を予約する動作について説明するフロー図である。図１４に示すように、ユーザが携帯電話機１０５の操作部１０６から入力を行って撮影予約画面を表示する（ＳＴ３０１）。
【００８２】
携帯電話機１０５の操作部１０６から撮影を予約する入力があれば（ＳＴ３０２；ＹＥＳ、ＳＴ３０３；ＮＯ）、携帯電話機１０５の制御部１２８は、撮影設定画面において入力された撮影予約時刻、画質、及び記録先など入力された撮影条件を内蔵メモリ３２６に記録して撮影を予約し（ＳＴ３０４）、携帯電話機１０５の予約管理部３２７は、タイマ１２９によってカウントされる現在時刻と撮影予約時刻とを比較し、撮影予約時刻になれば（ＳＴ３０５；ＹＥＳ）、内蔵メモリ３２６に記録された撮影条件に従って撮影調整部３２４を調整し、レンズ３２２を含む撮影部３２３によってカメラ撮影を行い（ＳＴ３０６）、符号化処理部３２５によって撮影された画像信号を圧縮符号化して画像データを生成して携帯電話機１０５の内蔵メモリ３２６などに記録する（ＳＴ３０７）。
【００８３】
ＳＴ３０３において、他の記録装置でカメラ撮影を行うための予約が入力されると（ＳＴ３０３；ＹＥＳ）、携帯電話機１０５の制御部１２８は、共通コマンド書き込み部１２３によって撮影予約時刻、画質、及び記録先など入力された撮影条件による撮影を予約する共通コマンドをＳＤメモリカード３０１の共通コマンド格納領域１１５に登録する（ＳＴ３０８）。
【００８４】
共通コマンドとは、携帯電話機１０５及びカメラ３０２など本発明の記録装置の間で共通のフォーマットをもち、携帯電話機１０５及びカメラ３０２など本発明の記録装置の共通コマンド解釈部１２２によって解釈することができるコマンドのことである。
【００８５】
図１５は、本発明の実施の形態３に係る共通コマンド格納領域に登録された撮影を予約する共通コマンドの例を示す図である。図１５に示すように、プロテクト領域１１２の共通コマンド格納領域１１５には、他の記録装置において撮影を予約する共通コマンドとして、例えば、「Ｒｅｓｅｒｖｅ  Ｐｈｏｔｏ  Ｔｉｍｅ＝２００４  ０３／０６  １５：３０，Ｑｕａｌｉｔｙ＝Ｈｉｇｈｔ，Ｏｕｔ＝ＳＤ」などと記録される。
【００８６】
「Ｒｅｓｅｒｖｅ  Ｐｈｏｔｏ」は、撮影を予約する共通コマンドであり、「Ｔｉｍｅ＝２００４  ０３／０６  １５：３０」は、撮影予約時刻を、「Ｑｕａｌｉｔｙ＝Ｈｉｇｈｔ」は、画質などの撮影条件を、「Ｏｕｔ＝ＳＤ」は、撮影データの出力先を示す。撮影データの出力先は、内蔵メモリ３２６又はＳＤメモリカード３０１のいずれか、又は内蔵メモリ３２６とＳＤメモリカード３０１の両方を指定することができる。
【００８７】
次に、図１２に示すように、ＳＤメモリカード３０１を携帯電話機１０５から抜いて、カメラ３０２に装着する。図１６は、本発明の実施の形態３に係るＳＤメモリカード３０１を装着した記録装置の動作を説明するフロー図である。図１６に示すように、ＳＤメモリカード３０１を携帯電話機１０５から抜いて、カメラ３０２に装着すると、カメラ３０２の制御部１２８は、ＳＤメモリカード３０１が装着されたことを検知し（ＳＴ３１１；ＹＥＳ）、共通コマンド解釈部１２２によって、ＳＤメモリカード３０１の共通コマンド格納領域１１５を読み出す。
【００８８】
共通コマンド格納領域１１５に撮影を予約する共通コマンドが記録されていれば（ＳＴ３１２；ＹＥＳ）、カメラ３０２の予約管理部３２７は、共通コマンド「Ｒｅｓｅｒｖｅ  Ｐｈｏｔｏ  Ｔｉｍｅ＝２００４  ０３／０６  １５：３０，Ｑｕａｌｉｔｙ＝Ｈｉｇｈｔ，Ｏｕｔ＝ＳＤ」に従って、タイマ１２９によってカウントされる現在時刻と撮影予約時刻とを比較し、撮影予約時刻になっていれば（ＳＴ３１３；ＹＥＳ）、共通コマンドの撮影条件に従って撮影調整部３２４を調整し、レンズ３２２を含む撮影部３２３によってカメラ撮影を行い（ＳＴ３１４）、符号化処理部３２５によって撮影された画像信号を圧縮符号化して画像データを生成し、書き込み部３２１によって画像データをＳＤメモリカード３０１に記録する（ＳＴ３１５）。
【００８９】
共通コマンド「Ｒｅｓｅｒｖｅ  Ｐｈｏｔｏ  Ｔｉｍｅ＝２００４  ０３／０６  １５：３０，Ｑｕａｌｉｔｙ＝Ｈｉｇｈｔ，Ｏｕｔ＝ＳＤ」の処理が終了すると、カメラ３０２の共通コマンド書き込み部１２３は、共通コマンド格納領域１１５から実行した共通コマンド「Ｒｅｓｅｒｖｅ  Ｐｈｏｔｏ  Ｔｉｍｅ＝２００４  ０３／０６  １５：３０，Ｑｕａｌｉｔｙ＝Ｈｉｇｈｔ，Ｏｕｔ＝ＳＤ」を削除する。
【００９０】
以上のようにして、携帯電話機１０５で設定された撮影条件による撮影操作がカメラ３０２において自動的に実行される。
【００９１】
ＳＴ３１３において、撮影予約時刻を過ぎていれば（ＳＴ３１３；ＮＯ、ＳＴ３１６；ＹＥＳ）、ＳＤメモリカード３０１の共通コマンド格納領域１１５に登録されたカメラ撮影を予約する共通コマンドを無効する処理を行う（ＳＴ３１７）。
【００９２】
ＳＴ３１３において、撮影予約時刻になっていなければ（ＳＴ３１３；ＮＯ、ＳＴ３１６；ＮＯ）、ＳＴ３１２に戻って撮影予約時刻になるのを待つ。
【００９３】
このように、本発明の実施の形態３によれば、ＳＤメモリカード３０１に共通コマンド格納領域１１５を備え、携帯電話機１０５の撮影設定画面において、他の記録装置でカメラ撮影を行うための予約が入力されたとき、共通コマンド書き込み部１２３によって撮影を予約する共通コマンドをＳＤメモリカード３０１の共通コマンド格納領域１１５に登録し、新たにカメラ３０２にＳＤメモリカード３０１が装着されると、カメラ３０２の制御部１２８は、共通コマンド解釈部１２２によってＳＤメモリカード３０１の共通コマンド格納領域１１５を読み出し、共通コマンドに記録された撮影条件に従って撮影調整部３２４を調整し、レンズ３２２を含む撮影部３２３によってカメラ撮影を行うので、ユーザは、携帯電話機１０５で予約された撮影を自動的にカメラ３０２で実行させることができる。
【００９４】
他の記録装置での撮影を予約する携帯電話機１０５などのディジタル機器においては、読み取り部１２１、書き込み部３２１、レンズ３２２、撮影部３２３、撮影調整部３２４、符号化処理部３２５、及び予約管理部３２７などの撮影を実行する機能及び予約した撮影を実行する機能などを備えなくとも、カメラ３０２の備えるレベルのカメラ撮影が実行できる。
【００９５】
また、予約されたカメラ撮影を実行するカメラ３０２などの記録装置においては、操作部、及び表示部などの撮影条件を予約する機能を備えなくとも、ＳＤメモリカード３０１を装着すれば、カメラ撮影が実行できる。
【００９６】
尚、他の記録装置での撮影の予約は、撮影予約画面から行わなくとも、他の記録装置での撮影を予約する専用の入力画面を設けてもよいし、他の記録装置での撮影を予約するコマンドを設けて行うようにしてもよい。
【００９７】
尚、他の記録装置での撮影を予約するディジタル機器は、撮影を予約する共通コマンドをＳＤメモリカード３０１の共通コマンド格納領域１１５に登録する機能を備えれば、読み取り部１２１、書き込み部３２１、レンズ３２２、撮影部３２３、撮影調整部３２４、符号化処理部３２５、及び予約管理部３２７を備えない記録装置以外のディジタル機器であってもよい。
【００９８】
尚、カメラ３０５が動画の撮影機能を備えるものである場合、静止画の撮影と動画の撮影を区別して予約するモードを設けるようにしてもよい。
【００９９】
（実施の形態４）
実施の形態４は、本発明の装置であるビデオレコーダにおいて本発明のＳＤメモリカードにテレビ録画を予約し、ビデオレコーダに装着していたＳＤメモリカードを抜いて本発明の記録装置である携帯電話機に挿入すると、自動的に予約したテレビ録画が実行されるものである。
【０１００】
図１７は、本発明の実施の形態４に係るＳＤメモリカードに予約されたテレビ録画が他の記録装置において実行される様子を説明する図である。図１７において、図２に示す実施の形態１に係るＳＤメモリカードに記録されたビデオデータが他の再生装置において継続して再生される様子を示す図と同じ構成については同一の符号を付して説明を省略する。図１７（ａ）は、ビデオレコーダを使ってＳＤメモリカードにテレビ録画を予約する様子を示す図、図１７（ｂ）は、ＳＤメモリカードを携帯電話機に装着すると自動的にテレビ録画が実行される様子を示す図である。
【０１０１】
図１７に示すように、ビデオレコーダ４０２は、内部にＳＤメモリカード４０１を装着し、録画予約を入力する操作部４０３と、録画予約画面など操作のためのガイダンスなどを表示する表示部４０４とを備え、同様に、携帯電話機１０５は、内部にＳＤメモリカード４０１を装着し、実施の形態１と同じ構成を備えるが、ビデオレコーダ４０２が、テレビ録画の予約のみを行う場合、ビデオレコーダ４０２は、ビデオレコーダ４０２の表示部４０４及び携帯電話機１０５の表示部１０７は、操作のためのガイダンス表示などを行うだけなので備えなくともよいし、予約されたテレビ録画処理を実行する携帯電話機１０５では、操作部１０６を備えなくともよい。
【０１０２】
本発明の実施の形態４に係るＳＤメモリカードのメモリ構成を示す図は、図３に示す本発明の実施の形態１に係るＳＤメモリカードのメモリ構成を示す図と同じである。
【０１０３】
図１８は、本発明の実施の形態４に係るビデオレコーダ及び携帯電話機などの記録装置の構成を示すブロック図を示す。図１８において、図１３に示す実施の形態３に係る記録装置の構成を示すブロック図と同じ構成については同一の符号を付して説明を省略する。
【０１０４】
図１８に示すように、ビデオレコーダ４０２及び携帯電話機１０５は、アンテナ４２１を介してテレビ電波を受信する受信部４２２と、受信したテレビの映像信号と音声信号を圧縮符号化する符号化処理部４２３と、予約された録画条件を管理する予約管理部４２４と、内蔵メモリ３２６に記録される録画データを検索するデータ検索部４２５と、内蔵メモリ３２６に記録される録画データをＳＤメモリカード４０１に記録されたデータフォーマットに変換する変換処理部４２６と、内蔵メモリ３２６に記録された録画データ又は変換処理部４２６が変換した録画データをＳＤメモリカード４０１にコピーする複写処理部４２７とを備える。
【０１０５】
ビデオレコーダ４０２をテレビ録画の予約にのみ使用する場合、ビデオレコーダ４０２は、アンテナ４２１、受信部４２２、符号化処理部４２３、データ検索部４２５、変換処理部４２６、及び複写処理部４２７を備えなくともよい。また、ビデオレコーダ４０２の表示部４０４、携帯電話機１０５の表示部１０７、携帯電話機１０５の操作部１０６、及びビデオレコーダ４０２と携帯電話機１０５の表示制御部１２５を備えなくともよい。
【０１０６】
以上のように構成されたビデオレコーダ４０２及び携帯電話機１０５などの記録装置の動作について説明する。図１９は、本発明の実施の形態４に係る記録装置において他の記録装置によるテレビ録画を予約する動作について説明するフロー図である。図１９に示すように、ユーザがビデオレコーダ４０２の操作部４０３から入力を行って録画予約画面を表示する（ＳＴ４０１）。
【０１０７】
ビデオレコーダ４０２の操作部４０３からテレビ録画を予約する入力があれば（ＳＴ４０２；ＹＥＳ、ＳＴ４０３；ＮＯ）、ビデオレコーダ４０２の制御部１２８は、ビデオレコーダ４０２において入力された録画チャネル、録画開始時刻、録画終了時刻、画質、フォーマット、及び記録先など入力された録画条件を内蔵メモリ３２６に記録して録画を予約し（ＳＴ４０４）、ビデオレコーダ４０２の予約管理部４２４は、タイマ１２９によってカウントされる現在時刻と録画開始時刻とを比較する（ＳＴ４０５；ＮＯ）。
【０１０８】
録画開始時刻になれば（ＳＴ４０５；ＹＥＳ）、内蔵メモリ３２６に記録された録画条件に従ってアンテナ４２１を録画チャネルに合わせ、受信部４２２によってテレビ電波を受信して（ＳＴ４０６）、受信した画像信号及び音声信号を符号化処理部４２３によって圧縮符号化して、圧縮符号化した映像データ及び音声データをビデオレコーダ４０２の内蔵メモリ３２６などに記録する（ＳＴ４０７）。
【０１０９】
ＳＴ４０６とＳＴ４０７の処理を、録画終了時刻になるまで（ＳＴ４０８；ＮＯ）、繰り返してテレビ録画を実行する。
【０１１０】
ＳＴ４０３において、他の記録装置でテレビ録画を行うための予約が入力されると（ＳＴ４０３；ＹＥＳ）、ビデオレコーダ４０２の制御部１２８は、共通コマンド書き込み部１２３によって録画チャネル、録画開始時刻、録画終了時刻、画質、フォーマット、及び記録先など入力された録画条件によるテレビ録画を予約する共通コマンドをＳＤメモリカード４０１の共通コマンド格納領域１１５に登録する（ＳＴ４０９）。
【０１１１】
共通コマンドとは、ビデオレコーダ４０２及び携帯電話機１０５など本発明の記録装置の間で共通のフォーマットをもち、ビデオレコーダ４０２及び携帯電話機１０５など本発明の記録装置の共通コマンド解釈部１２２によって解釈することができるコマンドのことである。
【０１１２】
図２０は、本発明の実施の形態４に係る共通コマンド格納領域に登録されたテレビ録画を予約する共通コマンドの例を示す図である。図２０に示すように、プロテクト領域１１２の共通コマンド格納領域１１５には、他の記録装置においてテレビ録画を予約する共通コマンドとして、例えば、「Ｒｅｓｅｒｖｅ  Ｒｅｃｏｒｄ  Ｃｈａｎｅｌ＝ＮＨＫ，Ｓｔａｒｔ＝２００４  ０３／０６  １５：００，Ｅｎｄ＝２００４  ０３／０６  １７：００，Ｑｕａｌｉｔｙ＝Ｈｉｇｈｔ，Ｆｏｒｍ＝ＭＰＥＧ４，Ｏｕｔ＝ＳＤ」などと記録される。
【０１１３】
「Ｒｅｓｅｒｖｅ  Ｒｅｃｏｒｄ」は、テレビ録画を予約する共通コマンドであり、「Ｃｈａｎｅｌ＝ＮＨＫ」は、録画するテレビチャネルを、「Ｓｔａｒｔ＝２００４  ０３／０６  １５：００」は、録画開始時刻を、「Ｅｎｄ＝２００４  ０３／０６  １７：００」は、録画終了時刻を、「Ｑｕａｌｉｔｙ＝Ｈｉｇｈｔ」は、画質を、「Ｆｏｒｍ＝ＭＰＥＧ４」は、フォーマットなどの録画条件を、「Ｏｕｔ＝ＳＤ」は、録画データの出力先を示す。録画データの出力先は、内蔵メモリ３２６又はＳＤメモリカード４０１のいずれか、又は内蔵メモリ３２６とＳＤメモリカード４０１の両方を指定することができる。
【０１１４】
次に、図１７に示すように、ＳＤメモリカード４０１をビデオレコーダ４０２から抜いて、携帯電話機１０５に装着する。図２１は、本発明の実施の形態４に係るＳＤメモリカードを装着した記録装置の動作を説明するフロー図である。図２１に示すように、ＳＤメモリカード４０１をビデオレコーダ４０２から抜いて、携帯電話機１０５に装着すると、携帯電話機１０５の制御部１２８は、ＳＤメモリカード４０１が装着されたことを検知し（ＳＴ４１１；ＹＥＳ）、共通コマンド解釈部１２２によって、ＳＤメモリカード４０１の共通コマンド格納領域１１５を読み出す。
【０１１５】
共通コマンド格納領域１１５にテレビ録画を予約する共通コマンドが記録されていれば（ＳＴ４１２；ＹＥＳ）、携帯電話機１０５の予約管理部４２４は、共通コマンド「Ｒｅｓｅｒｖｅ  Ｒｅｃｏｒｄ  Ｃｈａｎｅｌ＝ＮＨＫ，Ｓｔａｒｔ＝２００４  ０３／０６  １５：００，Ｅｎｄ＝２００４  ０３／０６  １７：００，Ｑｕａｌｉｔｙ＝Ｈｉｇｈｔ，Ｆｏｒｍ＝ＭＰＥＧ４，Ｏｕｔ＝ＳＤ」に従って、タイマ１２９によってカウントされる現在時刻と録画開始時刻とを比較する（ＳＴ４１３、ＳＴ４１７）。
【０１１６】
録画開始時刻になっていれば（ＳＴ４１３；ＹＥＳ）、共通コマンドの録画条件に従ってアンテナ４２１を録画チャネルに合わせ、受信部４２２によってテレビ電波を受信して（ＳＴ４１４）、受信した画像信号及び音声信号を符号化処理部４２３によって圧縮符号化して、圧縮符号化した映像データ及び音声データをＳＤメモリカード４０１に記録する（ＳＴ４１５）。
【０１１７】
ＳＴ４１４とＳＴ４１５の処理を、録画終了時刻になるまで（ＳＴ４１６；ＮＯ）、繰り返してテレビ録画を実行する。
【０１１８】
共通コマンド「Ｒｅｓｅｒｖｅ  Ｒｅｃｏｒｄ  Ｃｈａｎｅｌ＝ＮＨＫ，Ｓｔａｒｔ＝２００４  ０３／０６  １５：００，Ｅｎｄ＝２００４  ０３／０６  １７：００，Ｑｕａｌｉｔｙ＝Ｈｉｇｈｔ，Ｆｏｒｍ＝ＭＰＥＧ４，Ｏｕｔ＝ＳＤ」の処理が終了すると、携帯電話機１０５の共通コマンド書き込み部１２３は、共通コマンド格納領域１１５から実行した共通コマンド「Ｒｅｓｅｒｖｅ  Ｒｅｃｏｒｄ  Ｃｈａｎｅｌ＝ＮＨＫ，Ｓｔａｒｔ＝２００４  ０３／０６  １５：００，Ｅｎｄ＝２００４  ０３／０６  １７：００，Ｑｕａｌｉｔｙ＝Ｈｉｇｈｔ，Ｆｏｒｍ＝ＭＰＥＧ４，Ｏｕｔ＝ＳＤ」を削除する。
【０１１９】
以上のようにして、ビデオレコーダ４０２で設定された録画条件によるテレビ録画操作が携帯電話機１０５において自動的に実行される。
【０１２０】
ＳＴ４１３において、録画開始時刻を過ぎていれば（ＳＴ４１３；ＮＯ、ＳＴ４１７；ＹＥＳ）、携帯電話機１０５のデータ検索部４２５は、内蔵メモリ３２６に録画条件が同じ録画データが存在するかを検索し（ＳＴ４１８）、内蔵メモリ３２６に予約した録画データが存在し（ＳＴ４１８；ＹＥＳ）、内蔵メモリ３２６に記録される録画データのフォーマットが共通コマンドのフォーマットと異なれば（ＳＴ４１９；ＮＯ）、変換処理部４２６によって共通コマンドのフォーマットに合わせて内蔵メモリ３２６に記録される録画データのフォーマットを変換して（ＳＴ４２０）、複写処理部４２７は、変換した録画データをＳＤメモリカード４０１にコピーする（ＳＴ４２１）。
【０１２１】
共通コマンド「Ｒｅｓｅｒｖｅ  Ｒｅｃｏｒｄ  Ｃｈａｎｅｌ＝ＮＨＫ，Ｓｔａｒｔ＝２００４  ０３／０６  １５：００，Ｅｎｄ＝２００４  ０３／０６  １７：００，Ｑｕａｌｉｔｙ＝Ｈｉｇｈｔ，Ｆｏｒｍ＝ＭＰＥＧ４，Ｏｕｔ＝ＳＤ」の処理が終了すると、携帯電話機１０５の共通コマンド書き込み部１２３は、共通コマンド格納領域１１５から実行した共通コマンド「Ｒｅｓｅｒｖｅ  Ｒｅｃｏｒｄ  Ｃｈａｎｅｌ＝ＮＨＫ，Ｓｔａｒｔ＝２００４  ０３／０６  １５：００，Ｅｎｄ＝２００４  ０３／０６  １７：００，Ｑｕａｌｉｔｙ＝Ｈｉｇｈｔ，Ｆｏｒｍ＝ＭＰＥＧ４，Ｏｕｔ＝ＳＤ」を削除する。
【０１２２】
ＳＴ４１８において、内蔵メモリ３２６に予約した録画データが記録されていなければ（ＳＴ４１８；ＮＯ）、共通コマンド格納領域１１５に登録されたテレビ録画を予約する共通コマンドを無効にする（ＳＴ４２２）。
【０１２３】
ＳＴ４１９において、内蔵メモリ３２６に記録される録画データのフォーマットと共通コマンドのフォーマットが同じであれば（ＳＴ４１９；ＹＥＳ）、複写処理部４２７は、内蔵メモリ３２６に記録される録画データをそのままＳＤメモリカード４０１にコピーする（ＳＴ４２１）。
【０１２４】
ＳＴ４１７において、録画開始時刻になっていなければ（ＳＴ４１３；ＮＯ、ＳＴ４１７；ＮＯ）、ＳＴ４１２に戻って録画開始時刻になるのを待つ。
【０１２５】
このように、本発明の実施の形態４によれば、ＳＤメモリカード４０１に共通コマンド格納領域１１５を備え、ビデオレコーダ４０２の録画予約画面において、他の記録装置でテレビ録画を行うための予約が入力されたとき、共通コマンド書き込み部１２３によってテレビ録画を予約する共通コマンドをＳＤメモリカード４０１の共通コマンド格納領域１１５に登録し、新たに携帯電話機１０５にＳＤメモリカード４０１が装着されると、携帯電話機１０５の制御部１２８は、共通コマンド解釈部１２２によってＳＤメモリカード３０１の共通コマンド格納領域１１５を読み出し、共通コマンドに記録された録画条件に従ってアンテナ４２１を録画チャネルに合わせ、受信部４２２によってテレビ電波を受信してテレビ録画を行うので、ユーザは、ビデオレコーダ４０２で予約されたテレビ録画を自動的に携帯電話機１０５で実行させることができる。
【０１２６】
ビデオレコーダ４０２などの他の記録装置でのテレビ録画を予約するディジタル機器においては、読み取り部１２１、書き込み部３２１、アンテナ４２１、受信部４２２、符号化処理部４２３、データ検索部４２５、変換処理部４２６、及び複写処理部４２７などのテレビ録画を実行する機能及び予約したテレビ録画を実行する機能などを備えなくとも、携帯電話機１０５の備えるレベルのテレビ録画が実行できる。
【０１２７】
また、携帯電話機１０５などの予約されたテレビ録画を実行する記録装置においては、操作部、及び表示部などの撮影条件を予約する機能を備えなくとも、ＳＤメモリカード４０１を装着すれば、テレビ録画が実行できる。
【０１２８】
また、ＳＤメモリカード４０１を他の記録装置である携帯電話機１０５に装着したときに既に録画開始時間が経過してしまった場合であっても、携帯電話機１０５の内蔵メモリ３２６に予約したテレビ番組が録画されていれば、内蔵メモリ３２６から録画データをコピーしてＳＤメモリカード４０１に記録させることができる。
【０１２９】
尚、他の記録装置でのテレビ録画の予約は、録画予約画面から行わなくとも、テレビ録画を他の記録装置で予約する専用の入力画面を設けてもよいし、テレビ録画を他の記録装置で予約するコマンドを設けて行うようにしてもよい。
【０１３０】
尚、他の記録装置でのテレビ録画を予約する装置は、テレビ録画を予約する共通コマンドをＳＤメモリカード３０１の共通コマンド格納領域１１５に登録する機能を備えれば、読み取り部１２１、書き込み部３２１、アンテナ４２１、受信部４２２、符号化処理部４２３、データ検索部４２５、変換処理部４２６、及び複写処理部４２７を備えない記録装置以外のディジタル機器であってもよい。
【０１３１】
（実施の形態５）
実施の形態５は、本発明の情報処理装置であるパソコンにおいて本発明の情報処理装置である携帯電話機から本発明のＳＤメモリカードにメール、電話帳、メロディ、Ｂｏｏｋｍａｒｋ、スケジュール、及びメモなどのアプリケーションプログラムの管理するデータのセーブ、又はＳＤメモリカードから携帯電話機にメール、電話帳、メロディ、Ｂｏｏｋｍａｒｋ、スケジュール、及びメモなどのアプリケーションプログラムの管理するデータのコピーを予約し、パソコンに装着していたＳＤメモリカードを抜いて携帯電話機に挿入すると、自動的に指定されたメール、電話帳、メロディ、Ｂｏｏｋｍａｒｋ、スケジュール、及びメモなどのアプリケーションプログラムの管理するデータのセーブ又はコピーが実行されるものである。
【０１３２】
図２２は、本発明の実施の形態５に係るＳＤメモリカードにデータのセーブ又はコピーを予約したときＳＤメモリカードを装着した他の情報処理装置において予約されたセーブ又はコピーが実行される様子を説明する図である。図２２において、図２に示す実施の形態１に係るＳＤメモリカードに記録されたビデオデータが他の再生装置において継続して再生される様子を示す図と同じ構成については同一の符号を付して説明を省略する。
【０１３３】
図２２（ａ）は、パソコンを使って携帯電話機のアプリケーションプログラムの管理するデータをＳＤメモリカードにセーブする処理、又はＳＤメモリカードから携帯電話機の内蔵メモリにアプリケーションプログラムの管理するデータをコピーする処理を予約する様子を示す図、図２２（ｂ）は、携帯電話機にＳＤメモリカードを装着して携帯電話機のアプリケーションプログラムの管理するデータをＳＤメモリカードにセーブする処理、又はＳＤメモリカードから携帯電話機の内蔵メモリにアプリケーションプログラムの管理するデータをコピーする処理が実行される様子を示す図である。
【０１３４】
図２２に示すように、パソコン５０２は、内部にＳＤメモリカード５０１を装着し、アプリケーションプログラムの管理するデータをセーブ、又はコピーする処理の予約を入力する操作部５０３と、アプリケーションのデータなどを表示する表示部５０４とを備え、同様に、携帯電話機１０５は、内部にＳＤメモリカード５０１を装着し、実施の形態１と同じ構成を備えるが、予約されたセーブ処理又はコピー処理を実行する携帯電話機１０５では、操作部１０６を備えなくともよい。
【０１３５】
本発明の実施の形態５に係るＳＤメモリカードのメモリ構成を示す図は、図３に示す本発明の実施の形態１に係るＳＤメモリカードのメモリ構成を示す図と同じである。
【０１３６】
図２３は、本発明の実施の形態５に係るパソコン及び携帯電話機などの情報処理装置の構成を示すブロック図を示す。図２３において、図１８に示す実施の形態４に係る再生装置の構成を示すブロック図と同じ構成については同一の符号を付して説明を省略する。
【０１３７】
図２３に示すように、本発明の実施の形態５に係るパソコン５０２及び携帯電話機１０５は、図１８に示すアンテナ４２１、受信部４２２、及び符号化処理部４２３を備えない。データのセーブ又はコピーの予約のみを行うパソコン５０２では、データ検索部４２５、変換処理部４２６、及び複写処理部４２７とを備えなくともよい。また、携帯電話機１０５は操作部１０６を備えなくともよい。
【０１３８】
以上のように構成されたパソコン５０２及び携帯電話機１０５などの情報処理装置の動作について説明する。図２４は、本発明の実施の形態５に係る情報処理装置において他の情報処理装置に記録されたアプリケーションデータの閲覧及びセーブを予約する動作について説明するフロー図である。図２４に示すように、ユーザがパソコン５０２の操作部５０６から入力を行って、一般的な情報処理装置が備えるメール、電話帳、メロディ、Ｂｏｏｋｍａｒｋ、スケジュール、及びメモなどのアプリケーションの種別を表示する（ＳＴ５０１）。
【０１３９】
ＳＴ５０１において、ユーザによってアプリケーションが選択されると（ＳＴ５０２；ＹＥＳ）、アプリケーションの全データを閲覧するか、又はセーブするかを選択する画面が表示され（ＳＴ５０３）、ユーザが全データの閲覧を選択すると（ＳＴ５０４；ＹＥＳ）、パソコン５０２の共通コマンド書き込み部１２３によってＳＤメモリカード５０１の共通コマンド格納領域１１５に選択したアプリケーションの全データの閲覧を予約する共通コマンドが登録される（ＳＴ５０５）。
【０１４０】
ＳＴ５０４において、全データのセーブが選択されると（ＳＴ５０４；ＮＯ）、パソコン５０２の共通コマンド書き込み部１２３によってＳＤメモリカード５０１の共通コマンド格納領域１１５に選択したアプリケーションの全データのセーブを予約する共通コマンドが登録される（ＳＴ５０６）。
【０１４１】
共通コマンドとは、パソコン５０２及び携帯電話機１０５など本発明の情報処理装置の間で共通のフォーマットをもち、パソコン５０２及び携帯電話機１０５など本発明の情報処理装置の共通コマンド解釈部１２２によって解釈することができるコマンドのことである。
【０１４２】
図２５は、本発明の実施の形態５に係る共通コマンド格納領域に登録された閲覧を予約する共通コマンド及びセーブを予約する共通コマンドの例を示す図である。図２５（ａ）は、共通コマンド格納領域に記録される閲覧を予約する共通コマンドの例を示す図、図２５（ｂ）は、共通コマンド格納領域に記録されるセーブを予約する共通コマンドの例を示す図である。
【０１４３】
図２５（ａ）に示すように、プロテクト領域１１２の共通コマンド格納領域１１５には、例えば、他の情報処理装置において選択したアプリケーションの全データの閲覧を予約する共通コマンドとして、「Ｒｅｓｅｒｖｅ  Ｓｉｇｈｔ  Ａｐｐｌｉ＝Ｔｅｌｅｐｈｏｎｅ」などと記録される。
【０１４４】
「Ｒｅｓｅｒｖｅ  Ｓｉｇｈｔ」は、閲覧を予約する共通コマンドであり、「Ａｐｐｌｉ＝Ｔｅｌｅｐｈｏｎｅ」は、電話帳のアプリケーションデータが閲覧の対象となっていることを示す。
【０１４５】
図２５（ｂ）に示すように、プロテクト領域１１２の共通コマンド格納領域１１５には例えば、他の情報処理装置において選択したアプリケーションの全データのセーブを予約する共通コマンドとして、「Ｒｅｓｅｒｖｅ  Ｐｒｅｓｅｒｖｅ  Ａｐｐｌｉ＝Ｔｅｌｅｐｈｏｎｅ、Ｏｕｔ＝ＳＤ」などと記録される。
【０１４６】
「Ｒｅｓｅｒｖｅ  Ｐｒｅｓｅｒｖｅ」は、携帯電話機１０５の内蔵メモリ３２６からのデータのセーブを予約する共通コマンドであり、「Ａｐｐｌｉ＝Ｔｅｌｅｐｈｏｎｅ」は、電話帳のアプリケーションデータがセーブの対象となっていることを、「Ｏｕｔ＝ＳＤ」は、撮影データの出力先を示す。
【０１４７】
次に、図２２に示すように、ＳＤメモリカード５０１をパソコン５０２から抜いて、携帯電話機１０５に装着する。図２６は、本発明の実施の形態５に係るＳＤメモリカードを装着した情報処理装置の動作を説明するフロー図である。図２６に示すように、ＳＤメモリカード５０１をパソコン５０２から抜いて、携帯電話機１０５に装着すると、携帯電話機１０５の制御部１２８は、ＳＤメモリカード５０１が装着されたことを検知し（ＳＴ５１１；ＹＥＳ）、共通コマンド解釈部１２２によって、ＳＤメモリカード５０１の共通コマンド格納領域１１５を読み出す。
【０１４８】
共通コマンド格納領域１１５に閲覧を予約する共通コマンドが記録されていれば（ＳＴ５１２；ＹＥＳ）、共通コマンド「Ｒｅｓｅｒｖｅ  Ｓｉｇｈｔ  Ａｐｐｌｉ＝Ｔｅｌｅｐｈｏｎｅ」に従って、携帯電話機１０５の内蔵メモリ３２６に記録される電話帳の全データを表示する（ＳＴ５１３）。
【０１４９】
共通コマンド「Ｒｅｓｅｒｖｅ  Ｓｉｇｈｔ  Ａｐｐｌｉ＝Ｔｅｌｅｐｈｏｎｅ」の処理が終了すると、携帯電話機１０５の共通コマンド書き込み部１２３は、共通コマンド格納領域１１５から実行した共通コマンド「Ｒｅｓｅｒｖｅ  Ｓｉｇｈｔ  Ａｐｐｌｉ＝Ｔｅｌｅｐｈｏｎｅ」を削除する。
【０１５０】
ユーザは、携帯電話機１０５が備える複写機能を使って表示された電話帳の全データからセーブしたい電話帳データを選んでＳＤメモリカード５０１にセーブすることもできる。
【０１５１】
共通コマンド格納領域１１５にセーブを予約する共通コマンドが記録されていれば（ＳＴ５１４；ＹＥＳ）、共通コマンド「Ｒｅｓｅｒｖｅ  Ｐｒｅｓｅｒｖｅ  Ａｐｐｌｉ＝Ｔｅｌｅｐｈｏｎｅ、Ｏｕｔ＝ＳＤ」に従って、携帯電話機１０５の複写処理部４２７は、内蔵メモリ３２６に記録される電話帳の全データをＳＤメモリカード５０１にセーブする（ＳＴ５１５）。
【０１５２】
共通コマンド「Ｒｅｓｅｒｖｅ  Ｐｒｅｓｅｒｖｅ  Ａｐｐｌｉ＝Ｔｅｌｅｐｈｏｎｅ、Ｏｕｔ＝ＳＤ」の処理が終了すると、携帯電話機１０５の共通コマンド書き込み部１２３は、共通コマンド格納領域１１５から実行した共通コマンド「Ｒｅｓｅｒｖｅ  Ｐｒｅｓｅｒｖｅ  Ａｐｐｌｉ＝Ｔｅｌｅｐｈｏｎｅ、Ｏｕｔ＝ＳＤ」を削除する。
【０１５３】
コピーを予約する共通コマンドは、格納されていないので（ＳＴ５１６；ＮＯ）、ＳＤメモリカード５０１を携帯電話機１０５から抜いて携帯電話機１０５の処理を終了する。
【０１５４】
以上のようにして、パソコン５０２で設定された閲覧を予約する共通コマンドによって、携帯電話機１０５において、選択した電話帳の全データを閲覧し、パソコン５０２で設定されたセーブを予約する共通コマンドによって、携帯電話機１０５に記録された電話帳の全データが自動的にＳＤメモリカード５０１にセーブされる。
【０１５５】
再び、ＳＤメモリカード５０１をパソコン５０２に装着して、ＳＤメモリカード５０１に記録された電話帳のデータを、他の携帯電話機１０５にコピーする。図２７は、本発明の実施の形態５に係る情報処理装置において他の情報処理装置にＳＤメモリカードに記録されたアプリケーションデータのコピーを予約する動作について説明するフロー図である。図２７に示すように、ユーザがパソコン５０２の操作部５０６から入力を行って、ＳＤメモリカード５０１にセーブされたメール、電話帳、メロディ、Ｂｏｏｋｍａｒｋ、スケジュール、及びメモなどのアプリケーションの種別を表示する（ＳＴ５２１）。
【０１５６】
ＳＴ５２１において、ユーザによってコピーするアプリケーションが選択されると（ＳＴ５２２；ＹＥＳ）、ＳＤメモリカード５０１にセーブされたアプリケーションに属するデータが表示され（ＳＴ５２３）、ユーザが表示されたデータから別の携帯電話機１０５にコピーするデータを選択すると（ＳＴ５２４；ＹＥＳ）、パソコン５０２の共通コマンド書き込み部１２３によってＳＤメモリカード５０１の共通コマンド格納領域１１５にコピーを予約する共通コマンドが登録される（ＳＴ５２５）。
【０１５７】
図２８は、本発明の実施の形態５に係る共通コマンド格納領域に記録されたコピーを予約する共通コマンドの例を示す図である。図２８に示すように、プロテクト領域１１２の共通コマンド格納領域１１５には、例えば、他の情報処理装置において選択したアプリケーションデータのコピーを予約する共通コマンドとして、「Ｒｅｓｅｒｖｅ  Ｃｏｐｙ  Ａｐｐｌｉ＝Ｔｅｌｅｐｈｏｎｅ，Ｄａｔａ＝Ｃｏｍｐａｎｙ」などと記録される。
【０１５８】
「Ｒｅｓｅｒｖｅ  Ｃｏｐｙ」は、ＳＤメモリカード５０１から他の情報処理装置の内蔵メモリ３２６へのデータのコピーを予約する共通コマンドであり、「Ａｐｐｌｉ＝Ｔｅｌｅｐｈｏｎｅ，Ｄａｔａ＝Ｃｏｍｐａｎｙ」は、「Ｃｏｍｐａｎｙ」という電話帳データがコピーの対象となっていることを示す。
【０１５９】
再び、図２２に示すように、ＳＤメモリカード５０１をパソコン５０２から抜いて、携帯電話機１０５に装着する。図２６に示すように、ＳＤメモリカード５０１をパソコン５０２から抜いて、別の携帯電話機１０５に装着すると、携帯電話機１０５の制御部１２８は、ＳＤメモリカード５０１が携帯電話機１０５に装着されたことを検知し（ＳＴ５１１；ＹＥＳ）、共通コマンド解釈部１２２によって、ＳＤメモリカード５０１の共通コマンド格納領域１１５を読み出す。
【０１６０】
共通コマンド格納領域１１５には、コピーを予約する共通コマンドが記録されているので（ＳＴ５１２；ＮＯ、ＳＴ５１４；ＮＯ、ＳＴ５１６；ＹＥＳ）、共通コマンド「Ｒｅｓｅｒｖｅ  Ｃｏｐｙ  Ａｐｐｌｉ＝Ｔｅｌｅｐｈｏｎｅ，Ｄａｔａ＝Ｃｏｍｐａｎｙ」に従って、携帯電話機１０５の制御部１２８は、データ検索部４２５によってＳＤメモリカード５０１に記録される「Ｃｏｍｐａｎｙ」という電話帳データを検索し、複写処理部４２７は、ＳＤメモリカード５０１に記録される「Ｃｏｍｐａｎｙ」という電話帳データを携帯電話機１０５の内蔵メモリ３２６にコピーする（ＳＴ５１７）。
【０１６１】
共通コマンド「Ｒｅｓｅｒｖｅ  Ｃｏｐｙ  Ａｐｐｌｉ＝Ｔｅｌｅｐｈｏｎｅ，Ｄａｔａ＝Ｃｏｍｐａｎｙ」の処理が終了すると、携帯電話機１０５の共通コマンド書き込み部１２３は、共通コマンド格納領域１１５から実行した共通コマンド「Ｒｅｓｅｒｖｅ  Ｃｏｐｙ  Ａｐｐｌｉ＝Ｔｅｌｅｐｈｏｎｅ，Ｄａｔａ＝Ｃｏｍｐａｎｙ」を削除する。
【０１６２】
以上のようにして、パソコン５０２で設定されたファイル情報の取得を予約する共通コマンドによって、自動的に携帯電話機１０５の内蔵メモリ３２６に記録されるファイル情報を取得し、パソコン５０２で設定されたダビングを予約する共通コマンドによって、携帯電話機１０５の内蔵メモリ３２６に記録された「ファイルＡ」を自動的にＳＤメモリカード６０１にダビングする。
【０１６３】
このように、本発明の実施の形態５によれば、ＳＤメモリカード５０１に共通コマンド格納領域１１５を備え、パソコン５０２において、他の情報処理装置が記録するアプリケーションの全データを閲覧、全データをセーブ、及び指定データをコピーする処理の予約が入力されたとき、共通コマンド書き込み部１２３によってアプリケーションの全データの閲覧、全データのセーブ、及び指定データのコピーを予約する共通コマンドをＳＤメモリカード５０１の共通コマンド格納領域１１５に登録し、新たに携帯電話機１０５にＳＤメモリカード５０１が装着されると、携帯電話機１０５の制御部１２８は、共通コマンド解釈部１２２によってＳＤメモリカード５０１の共通コマンド格納領域１１５を読み出し、アプリケーションの全データを閲覧、全データをセーブ、及び指定データをコピーする処理を実行するので、ユーザは、パソコン５０２で予約された他の情報処理装置が記録するアプリケーションの全データを閲覧、全データをセーブ、及び指定データをコピーする処理を自動的に携帯電話機１０５で実行させることができる。
【０１６４】
尚、パソコン５０２などの他の情報処理装置でアプリケーションの全データを閲覧、全データをセーブ、及び指定データをコピーする処理を予約するディジタル機器においては、読み取り部１２１、書き込み部３２１、及び複写処理部４２７などのアプリケーションの全データを閲覧、全データをセーブ、及び指定データをコピーする機能を備えなくともよい。
【０１６５】
（実施の形態６）
実施の形態６は、本発明の情報処理装置であるパソコンにおいて本発明の情報処理装置である携帯電話機から本発明のＳＤメモリカードにファイルのダビングを予約し、パソコンに装着していたＳＤメモリカードを抜いて携帯電話機に挿入すると、自動的に指定されたファイルのダビングが実行されるものである。
【０１６６】
本発明の実施の形態６に係るＳＤメモリカードにファイルのダビングを予約するとＳＤメモリカードを装着した情報処理装置において予約されたダビングが実行される様子を説明する図は、図２２に示す本発明の実施の形態５に係るＳＤメモリカードにデータのセーブ又はコピーを予約したときＳＤメモリカードを装着した他の情報処理装置において予約されたセーブ又はコピーが実行される様子を説明する図と、本発明の実施の形態６に係るＳＤメモリカードのメモリ構成を示す図は、図３に示す本発明の実施の形態１に係るＳＤメモリカードのメモリ構成を示す図と、本発明の実施の形態６に係るパソコン及び携帯電話機などの情報処理装置の構成を示すブロック図は、本発明の実施の形態５に係るパソコン及び携帯電話機などの情報処理装置の構成を示すブロック図と同じであるので説明を省略する。
【０１６７】
以上のように構成されたパソコン５０２及び携帯電話機１０５などの情報処理装置の動作について説明する。図２９は、本発明の実施の形態６に係る情報処理装置において他の情報処理装置に記録されたファイルをＳＤメモリカードにダビングする処理を予約する動作について説明するフロー図である。
【０１６８】
図２９に示すように、ユーザがパソコン５０２の操作部５０６から入力を行って、携帯電話機１０５の内蔵メモリ３２６に記録されたファイルをＳＤメモリカード６０１にダビングする処理の予約を行うと、ファイル情報が記録されていなければ（ＳＴ６０１；ＮＯ）、パソコン５０２の共通コマンド書き込み部１２３によってＳＤメモリカード６０１の共通コマンド格納領域１１５にファイル情報の取得を予約する共通コマンドが登録される（ＳＴ６０２）。
【０１６９】
ＳＴ６０１において、ＳＤメモリカード６０１にファイル情報が記録されていれば（ＳＴ６０１；ＹＥＳ）、パソコン５０２の制御部１２８は、ＳＤメモリカード６０１に記録されるファイル情報の一覧を表示する（ＳＴ６０３）。ユーザが表示されたデータから携帯電話機１０５にダビングするファイルを選択すると（ＳＴ６０４；ＹＥＳ）、共通コマンド書き込み部１２３によってＳＤメモリカード６０１の共通コマンド格納領域１１５にファイルのダビングを予約する共通コマンドが記録される（ＳＴ６０５）。
【０１７０】
図３０は、本発明の実施の形態６に係る共通コマンド格納領域に記録されるファイル情報の取得を予約する共通コマンド及びダビングを予約する共通コマンドの例を示す図である。図３０（ａ）は、共通コマンド格納領域に記録されるファイル情報の取得を予約する共通コマンドの例を示す図、図３０（ｂ）は、共通コマンド格納領域に記録されるファイルのダビングを予約する共通コマンドの例を示す図である。
【０１７１】
図３０（ａ）に示すように、プロテクト領域１１２の共通コマンド格納領域１１５には、例えば、他の情報処理装置においてファイル情報の取得を予約する共通コマンドとして、「Ｒｅｓｅｒｖｅ  Ｐｒｅｓｅｒｖｅ  Ｆｉｌｅ，Ｏｕｔ＝ＳＤ」などと記録される。
【０１７２】
「Ｒｅｓｅｒｖｅ  Ｐｒｅｓｅｒｖｅ」は、携帯電話機１０５の内蔵メモリ３２６からのデータのセーブを予約する共通コマンドであり、「Ｆｉｌｅ」は、内蔵メモリ３２６に記録される全ファイルのタイトル、サムネイル、保存日時、及びファイルサイズなどのファイル情報が対象となっていることを、「Ｏｕｔ＝ＳＤ」は、ファイル情報の出力先を示す。
【０１７３】
図３０（ｂ）に示すように、プロテクト領域１１２の共通コマンド格納領域１１５には、例えば、他の情報処理装置においてファイルのダビングを予約する共通コマンドとして、「Ｒｅｓｅｒｖｅ  Ｄｕｂ  Ｆｉｌｅ＝ファイルＡ，Ｆｏｒｍ＝ＭＰＥＧ４，Ｏｕｔ＝ＳＤ」などと記録される。
【０１７４】
「Ｄｕｂ」は、携帯電話機１０５の内蔵メモリ３２６からのデータのダビングを予約する共通コマンドであり、「Ｆｉｌｅ＝ファイルＡ」は、内蔵メモリ３２６に記録されるファイルＡが対象となっていることを、「Ｆｏｒｍ＝ＭＰＥＧ４」は、ダビングするファイルのフォーマットを、「Ｏｕｔ＝ＳＤ」は、ダビングデータの出力先を示す。
【０１７５】
次に、図２２に示すように、ＳＤメモリカード６０１をパソコン５０２から抜いて、携帯電話機１０５に装着する。図３１は、本発明の実施の形態６に係るＳＤメモリカードを装着した情報処理装置の動作を説明するフロー図である。図３１に示すように、ＳＤメモリカード６０１をパソコン５０２から抜いて、携帯電話機１０５に装着すると、携帯電話機１０５の制御部１２８は、ＳＤメモリカード６０１が携帯電話機１０５に装着されたことを検知し（ＳＴ６１１；ＹＥＳ）、共通コマンド解釈部１２２によって、ＳＤメモリカード６０１の共通コマンド格納領域１１５を読み出す。
【０１７６】
共通コマンド格納領域１１５にファイル情報の取得を予約する共通コマンドが記録されていれば（ＳＴ６１２；ＹＥＳ）、共通コマンド「Ｒｅｓｅｒｖｅ  Ｐｒｅｓｅｒｖｅ  Ｆｉｌｅ，Ｏｕｔ＝ＳＤ」に従って、携帯電話機１０５の内蔵メモリ３２６に記録されているファイルのタイトル、サムネイル、保存日時、及びファイルサイズなどのファイル情報をＳＤメモリカード６０１のデータ領域１１７にセーブする（ＳＴ６１３）。
【０１７７】
共通コマンド「Ｒｅｓｅｒｖｅ  Ｐｒｅｓｅｒｖｅ  Ｆｉｌｅ，Ｏｕｔ＝ＳＤ」の処理が終了すると、携帯電話機１０５の共通コマンド書き込み部１２３は、共通コマンド格納領域１１５から実行した共通コマンド「Ｒｅｓｅｒｖｅ  Ｐｒｅｓｅｒｖｅ  Ｆｉｌｅ，Ｏｕｔ＝ＳＤ」を削除する。
【０１７８】
共通コマンド格納領域１１５にファイルのダビングを予約する共通コマンドが記録されていれば（ＳＴ６１４；ＹＥＳ）、共通コマンド「Ｒｅｓｅｒｖｅ  Ｄｕｂ  Ｆｉｌｅ＝ファイルＡ，Ｆｏｒｍ＝ＭＰＥＧ４，Ｏｕｔ＝ＳＤ」に従って、携帯電話機１０５の制御部１２８は、データ検索部４２５によって内蔵メモリ３２６に記録される「ファイルＡ」を検索し、携帯電話機１０５の内蔵メモリ３２６に記録されるファイルＡデータのフォーマットと共通コマンド「Ｆｏｒｍ＝ＭＰＥＧ４」で示されるフォーマットが同じであれば（ＳＴ６１５；ＹＥＳ）、複写処理部４２７は、携帯電話機１０５の内蔵メモリ３２６に記録されるファイルＡをＳＤメモリカード５０１にダビングする（ＳＴ６１７）。
【０１７９】
ＳＴ６１５において、携帯電話機１０５の内蔵メモリ３２６に記録されるファイルＡのフォーマットと共通コマンド「Ｆｏｒｍ＝ＭＰＥＧ４」で示されるフォーマットが異なれば（ＳＴ６１５；ＮＯ）、携帯電話機１０５変換処理部４２６によって内蔵メモリ３２６に記録されるファイルＡのフォーマットを共通コマンド「Ｆｏｒｍ＝ＭＰＥＧ４」で示されるフォーマットに変換して（ＳＴ６１６）、複写処理部４２７は、ＳＤメモリカード５０１にダビングする（ＳＴ６１７）。
【０１８０】
共通コマンド「Ｒｅｓｅｒｖｅ  Ｄｕｂ  Ｆｉｌｅ＝ファイルＡ，Ｆｏｒｍ＝ＭＰＥＧ４，Ｏｕｔ＝ＳＤ」の処理が終了すると、携帯電話機１０５の共通コマンド書き込み部１２３は、共通コマンド格納領域１１５から実行した共通コマンド「Ｒｅｓｅｒｖｅ  Ｄｕｂ  Ｆｉｌｅ＝ファイルＡ，Ｆｏｒｍ＝ＭＰＥＧ４，Ｏｕｔ＝ＳＤ」を削除する。
【０１８１】
以上のようにして、パソコン５０２で設定されたコピーを予約する共通コマンドによって、ＳＤメモリカード５０１に記録された「Ｃｏｍｐａｎｙ」という電話帳データを自動的に携帯電話機１０５の内蔵メモリ３２６にコピーする。
【０１８２】
このように、本発明の実施の形態６によれば、ＳＤメモリカード６０１に共通コマンド格納領域１１５を備え、パソコン５０２において、他の情報処理装置が記録するファイル情報を取得する処理、及びファイルをダビングする処理の予約が入力されたとき、共通コマンド書き込み部１２３によってファイル情報の取得、及びファイルのダビングを予約する共通コマンドをＳＤメモリカード６０１の共通コマンド格納領域１１５に登録し、新たに携帯電話機１０５にＳＤメモリカード６０１が装着されると、携帯電話機１０５の制御部１２８は、共通コマンド解釈部１２２によってＳＤメモリカード６０１の共通コマンド格納領域１１５を読み出し、ファイル情報の取得、及びファイルのダビングを実行するので、ユーザは、パソコン５０２で予約された他の情報処理装置の記録するファイル情報を取得する処理、及びファイルをダビングする処理を自動的に携帯電話機１０５で実行させることができる。
【０１８３】
尚、他の情報処理装置の記録するファイル情報を取得する処理、及びファイルをダビングする処理を予約するディジタル機器においては、読み取り部１２１、書き込み部３２１、及び複写処理部４２７などのファイルをダビングする機能を備えなくともよい。
【０１８４】
（実施の形態７）
実施の形態７は、実施の形態１から実施の形態６に記載した本発明の再生装置、記録装置、及び情報処理装置において、複数の共通コマンドを本発明のＳＤメモリカードに登録して、登録された共通コマンドを表示するとともに、登録された共通コマンドを無効にして、ＳＤメモリカードが他の再生装置、記録装置、及び情報処理装置に差し替えられると、無効にされていない複数の共通コマンドを実行するものである。
【０１８５】
本発明の実施の形態７に係るＳＤメモリカードのメモリ構成を示す図は、図３に示す本発明の実施の形態１に係るＳＤメモリカードのメモリ構成を示す図と、本発明の実施の形態７に係る再生装置、記録装置、及び情報処理装の構成を示すブロック図は、図３、図８、図１３、図１８、図２３に示す本発明の実施の形態１から本発明の実施の形態６に係る再生装置、記録装置、及び情報処理装の構成を示すブロック図のいずれかと同じであるので説明を省略する。
【０１８６】
以上のように構成された再生装置、記録装置、及び情報処理装置の動作について説明する。図５、図１０、図１４、図１９、図２４、図２７、及び図２９に示すように、再生装置、記録装置、及び情報処理装置の共通コマンド書き込み部１２３によって、中断された再生処理の継続を予約する共通コマンド、撮影を予約する共通コマンド、録画を予約する共通コマンド、アプリケーションデータの閲覧を予約する共通コマンド、アプリケーションデータのセーブを予約する共通コマンド、アプリケーションデータのコピーを予約する共通コマンド、ファイル情報の取得を予約する共通コマンド、及びファイルのダビングを予約する共通コマンドなどの複数の共通コマンドがＳＤメモリカード７０１の共通コマンド格納領域１１５に登録される。
【０１８７】
図３２は、本発明の実施の形態７に係るＳＤメモリカードに記録される共通コマンドを表示して無効にする再生装置、記録装置、及び情報処理装置の動作を説明するフロー図である。図３２に示すように、ユーザが再生装置、記録装置、及び情報処理装置の操作部５０６から入力を行って共通コマンド解釈部１２２によってＳＤメモリカード７０１の共通コマンド格納領域１１５を読み出し、ＳＤメモリカード７０１の共通コマンド格納領域１１５に記録される共通コマンドを表示する（ＳＴ７０１；ＹＥＳ）。
【０１８８】
表示された共通コマンドから、ユーザによって無効にしたい共通コマンドが選択されると（ＳＴ７０２；ＹＥＳ）、再生装置、記録装置、及び情報処理装置の制御部１２８は、共通コマンド書き込み部１２３によって共通コマンド格納領域１１５の選択された共通コマンドに設けた有効ビットを「ｏｆｆ」とする（ＳＴ７０３）。
【０１８９】
図３３は、本発明の実施の形態７に係る共通コマンド格納領域に記録される共通コマンドの例を示す図である。図３３に示すように、共通コマンド格納領域１１５は、有効ビット７１１と、共通コマンド７１２とからなり、例えば、共通コマンド７１２には、「Ｒｅｐｌａｙ  Ｆｉｌｅ＝ファイルＡ，Ｆｒｏｍ  Ｐｏｉｎｔｅｒ＝ＢＢＢ」、「Ｒｅｐｌａｙ  Ｐｌａｙｌｉｓｔ＝リストＥ，Ｒａｎｄｏｍ，Ｆｒｏｍ  ファイルＡ，Ｆｒｏｍ  Ｐｏｉｎｔｅｒ＝ＢＢＢ」、「Ｒｅｓｅｒｖｅ  Ｐｈｏｔｏ  Ｔｉｍｅ＝２００４  ０３／０６  １５：３０，Ｑｕａｌｉｔｙ＝Ｈｉｇｈｔ，Ｏｕｔ＝ＳＤ」、「Ｒｅｓｅｒｖｅ  Ｒｅｃｏｒｄ  Ｃｈａｎｅｌ＝ＮＨＫ，Ｓｔａｒｔ＝２００４  ０３／０６  １５：００，Ｅｎｄ＝２００４  ０３／０６  １７：００，Ｑｕａｌｉｔｙ＝Ｈｉｇｈｔ，Ｆｏｒｍ＝ＭＰＥＧ４，Ｏｕｔ＝ＳＤ」、「Ｒｅｓｅｒｖｅ  Ｓｉｇｈｔ  Ａｐｐｌｉ＝Ｔｅｌｅｐｈｏｎｅ」、「Ｒｅｓｅｒｖｅ  Ｐｒｅｓｅｒｖｅ  Ａｐｐｌｉ＝Ｔｅｌｅｐｈｏｎｅ、Ｏｕｔ＝ＳＤ」、「Ｒｅｓｅｒｖｅ  Ｃｏｐｙ  Ａｐｐｌｉ＝Ｔｅｌｅｐｈｏｎｅ，Ｄａｔａ＝Ｃｏｍｐａｎｙ」、「Ｒｅｓｅｒｖｅ  Ｐｒｅｓｅｒｖｅ  Ｆｉｌｅ，Ｏｕｔ＝ＳＤ」、及び「Ｒｅｓｅｒｖｅ  Ｄｕｂ  Ｆｉｌｅ＝ファイルＡ，Ｆｏｒｍ＝ＭＰＥＧ４，Ｏｕｔ＝ＳＤ」などの共通コマンドが記録される。
【０１９０】
登録時有効ビット７１１には、「ｏｎ」が設定されるが、無効にしたい共通コマンドに選択されると、有効ビット７１１に「ｏｆｆ」が設定される。
【０１９１】
ＳＤメモリカード７０１を図２、図７、図１２、図１７、及び図２２に示すように、ビデオプレイヤー１０２、携帯電話機１０５、オーディオプレイヤー２０２、カメラ３０２、ビデオレコーダ４０２、パソコン５０２などの再生装置、記録装置、及び情報処理装置から抜いて、他の再生装置、記録装置、及び情報処理装置に装着に装着する。
【０１９２】
図３４は、本発明の実施の形態７に係る再生装置、記録装置、及び情報処理装置の動作を説明するフロー図である。図３４に示すように、ＳＤメモリカード７０１を再生装置、記録装置、及び情報処理装置から抜いて、他の再生装置、記録装置、及び情報処理装置に装着したとき（ＳＴ７１１；ＹＥＳ）、再生装置、記録装置、及び情報処理装置の制御部１２８は、共通コマンド解釈部１２２によって、共通コマンド格納領域１１５を検索し（ＳＴ７１２）、有効ビット７１１が「ｏｎ」の「Ｒｅｓｅｒｖｅ」で始まる共通コマンドがあれば（ＳＴ７１３；ＹＥＳ）、「Ｒｅｓｅｒｖｅ」で始まる共通コマンドを実行する（ＳＴ７１４）。
【０１９３】
「Ｒｅｓｅｒｖｅ」で始まる共通コマンドの処理が終了すると、共通コマンド書き込み部１２３は、共通コマンド格納領域１１５から実行した「Ｒｅｓｅｒｖｅ」で始まる共通コマンドを削除する。
【０１９４】
有効ビット７１１が「ｏｎ」の「Ｒｅｓｅｒｖｅ」で始まる共通コマンドの実行が終了すると（ＳＴ７１５；ＹＥＳ）、再生装置、記録装置、及び情報処理装置の制御部１２８は、入力が所定時間の間ない場合（ＳＴ７１６；ＮＯ、ＳＴ７１７；ＹＥＳ）、共通コマンド解釈部１２２によって、共通コマンド格納領域１１５を検索して（ＳＴ７１８）、有効ビット７１１が「ｏｎ」で「Ｒｅｓｅｒｖｅ」以外の継続を予約する共通コマンドがあれば（ＳＴ７１９；ＹＥＳ）、「Ｒｅｓｅｒｖｅ」以外の継続を予約する共通コマンドを終了まで実行する（ＳＴ７２０、ＳＴ７２１；ＹＥＳ）。
【０１９５】
「Ｒｅｓｅｒｖｅ」以外の継続を予約する共通コマンドの処理が終了すると、共通コマンド書き込み部１２３は、共通コマンド格納領域１１５から実行した「Ｒｅｓｅｒｖｅ」以外の継続を予約する共通コマンドを削除する。
【０１９６】
このように、本発明の実施の形態７によれば、ＳＤメモリカード７０１に共通コマンド格納領域１１５を備え、再生装置、記録装置、及び情報処理装置の共通コマンド解釈部１２２によって共通コマンド格納領域１１５を読み出して表示し、共通コマンド書き込み部１２３によって共通コマンド格納領域１１５の選択された共通コマンドの有効ビットを「ｏｆｆ」として無効とし、新たに再生装置、記録装置、及び情報処理装置にＳＤメモリカード７０１が装着されると、再生装置、記録装置、及び情報処理装置の制御部１２８は、共通コマンド解釈部１２２によってＳＤメモリカード７０１の共通コマンド格納領域１１５を読み出し、有効ビット７１１が「ｏｎ」の共通コマンドを実行するので、登録した共通コマンドを無効にすることができる。
【０１９７】
尚、ＳＤメモリカード７０１を装着してＳＤメモリカード７０１の共通コマンド格納領域１１５に記録される共通コマンドを実行する再生装置、記録装置、及び情報処理装置において、記録される共通コマンドの処理を実行する機能がないときは、この共通コマンドを無視する。
【０１９８】
尚、複数の共通コマンドが登録されている場合、登録される共通コマンドに優先順を行けて実行するようにしてもよい。
【産業上の利用可能性】
【０１９９】
本発明に係る半導体メモリカード、再生装置、記録装置、及び情報処理装置は、着脱可能な半導体メモリを装着したとき、前に半導体メモリを装着した再生装置、記録装置、及び情報処理装置で行われていた操作及び処理を自動的に実行することができるという効果を有し、一つの半導体メモリカードを色々な再生装置、記録装置、及び情報処理装置の間で共有して使用する半導体メモリカード、再生装置、記録装置、及び情報処理装置に有効である。
【図面の簡単な説明】
【０２００】
【図１】本発明の実施の形態の概要を説明する図
【図２】本発明の実施の形態１に係るＳＤメモリカードに記録されたビデオデータの再生処理が他の再生装置において継続して再生される様子を示す図
【図３】本発明の実施の形態１に係るＳＤメモリカードのメモリ構成を示す図
【図４】本発明の実施の形態１に係るビデオプレイヤー及び携帯電話機などの再生装置の構成を示すブロック図
【図５】本発明の実施の形態１に係る再生装置の動作を説明するフロー図
【図６】本発明の実施の形態１に係る共通コマンド格納領域とユーザデータ領域に記録されるデータの例を示す図
【図７】本発明の実施の形態２に係るＳＤメモリカードに記録されたプレイリストよる楽曲の演奏が他の再生装置において継続して実行される様子を説明する図
【図８】本発明の実施の形態２に係るオーディオプレイヤー及び携帯電話機などの再生装置の構成を示すブロック図
【図９】本発明の実施の形態２に係るプレイリストについての説明図
【図１０】本発明の実施の形態２に係るプレイリストを用いた再生装置の動作を説明するフロー図
【図１１】本発明の実施の形態２に係る共通コマンド格納領域とユーザデータ領域に記録されるデータの例を示す図
【図１２】本発明の実施の形態３に係るＳＤメモリカードに記録されたカメラ撮影の予約が他の記録装置において実行される様子を説明する図
【図１３】本発明の実施の形態３に係る携帯電話機及びカメラなどの記録装置の構成を示すブロック図
【図１４】本発明の実施の形態３に係る記録装置において他の記録装置によるカメラ撮影を予約する動作について説明するフロー図
【図１５】本発明の実施の形態３に係る共通コマンド格納領域に登録された撮影を予約する共通コマンドの例を示す図
【図１６】本発明の実施の形態３に係るＳＤメモリカードを装着した記録装置の動作を説明するフロー図
【図１７】本発明の実施の形態４に係るＳＤメモリカードに予約されたテレビ録画が他の記録装置において実行される様子を説明する図
【図１８】本発明の実施の形態４に係るビデオレコーダ及び携帯電話機などの記録装置の構成を示すブロック図
【図１９】本発明の実施の形態４に係る記録装置において他の記録装置によるテレビ録画を予約する動作について説明するフロー図
【図２０】本発明の実施の形態４に係る共通コマンド格納領域に登録されたテレビ録画を予約する共通コマンドの例を示す図
【図２１】本発明の実施の形態４に係るＳＤメモリカードを装着した記録装置の動作を説明するフロー図
【図２２】本発明の実施の形態５に係るＳＤメモリカードにデータのセーブ又はコピーを予約したときＳＤメモリカードを装着した他の情報処理装置において予約されたセーブ又はコピーが実行される様子を説明する図
【図２３】本発明の実施の形態５に係るパソコン及び携帯電話機などの情報処理装置の構成を示すブロック図
【図２４】本発明の実施の形態５に係る情報処理装置において他の情報処理装置に記録されたアプリケーションデータの閲覧及びセーブを予約する動作について説明するフロー図
【図２５】本発明の実施の形態５に係る共通コマンド格納領域に登録された閲覧を予約する共通コマンド及びセーブを予約する共通コマンドの例を示す図
【図２６】本発明の実施の形態５に係るＳＤメモリカードを装着した情報処理装置の動作を説明するフロー図
【図２７】本発明の実施の形態５に係る情報処理装置において他の情報処理装置にＳＤメモリカードに記録されたアプリケーションデータのコピーを予約する動作について説明するフロー図
【図２８】本発明の実施の形態５に係る共通コマンド格納領域に記録されたコピーを予約する共通コマンドの例を示す図
【図２９】本発明の実施の形態６に係る情報処理装置において他の情報処理装置に記録されたファイルをＳＤメモリカードにダビングする処理を予約する動作について説明するフロー図
【図３０】本発明の実施の形態６に係る共通コマンド格納領域に記録されるファイル情報の取得を予約する共通コマンド及びダビングを予約する共通コマンドの例を示す図
【図３１】本発明の実施の形態６に係るＳＤメモリカードを装着した情報処理装置の動作を説明するフロー図
【図３２】本発明の実施の形態７に係るＳＤメモリカードに記録される共通コマンドを表示して無効にする再生装置、記録装置、及び情報処理装置の動作を説明するフロー図
【図３３】本発明の実施の形態７に係る共通コマンド格納領域に記録される共通コマンドの例を示す図
【図３４】本発明の実施の形態７に係る再生装置、記録装置、及び情報処理装置の動作を説明するフロー図
【符号の説明】
【０２０１】
１０１、２０１、３０１、４０１、５０１、６０１、７０１  ＳＤメモリカード
１０２  ビデオプレイヤー
１０３、１０６、２０３、４０３、５０３  操作部
１０４、１０７、２０４、４０４、５０４  表示部
１０５  携帯電話機
１１１  システム領域
１１２  プロテクト領域
１１３  ユーザデータ領域
１１４  プライベート領域
１１５  共通コマンド格納領域。
１１６  管理領域
１１７  データ領域
１２１  読み取り部
１２２  共通コマンド解釈部
１２３  共通コマンド書き込み部
１２４  再生処理部
１２５  表示制御部
１２６  スピーカ
１２７  音声出力部
１２８  制御部
１２９  タイマ
１３１  ファイル名
１３２  先頭アドレス
１３３  終了アドレス
２０２  オーディオプレイヤー
２３１  プレイリスト
２３２  リスト
２３３  ファイル
２２４  再生処理部
２３４  イントロ終了アドレス
３０２  カメラ
３２１  書き込み部
３２２  レンズ
３２３  撮影部
３２４  撮影調整部
３２５  符号化処理部
３２６  内蔵メモリ
３２７、４２４  予約管理部
４０２  ビデオレコーダ
５０２  パソコン
４２１  アンテナ
４２２  受信部
４２３  符号化処理部
４２４  予約管理
４２５  データ検索部
４２６  変換処理部
４２７  複写処理部
７１１  有効ビット
７１２  共通コマンド
【図１】
2007166345.tif 000003
【図２】
2007166345.tif 000004
【図３】
2007166345.tif 000005
【図４】
2007166345.tif 000006
【図５】
2007166345.tif 000007
【図６】
2007166345.tif 000008
【図７】
2007166345.tif 000009
【図８】
2007166345.tif 000010
【図９】
2007166345.tif 000011
【図１０】
2007166345.tif 000012
【図１１】
2007166345.tif 000013
【図１２】
2007166345.tif 000014
【図１３】
2007166345.tif 000015
【図１４】
2007166345.tif 000016
【図１５】
2007166345.tif 000017
【図１６】
2007166345.tif 000018
【図１７】
2007166345.tif 000019
【図１８】
2007166345.tif 000020
【図１９】
2007166345.tif 000021
【図２０】
2007166345.tif 000022
【図２１】
2007166345.tif 000023
【図２２】
2007166345.tif 000024
【図２３】
2007166345.tif 000025
【図２４】
2007166345.tif 000026
【図２５】
2007166345.tif 000027
【図２６】
2007166345.tif 000028
【図２７】
2007166345.tif 000029
【図２８】
2007166345.tif 000030
【図２９】
2007166345.tif 000031
【図３０】
2007166345.tif 000032
【図３１】
2007166345.tif 000033
【図３２】
2007166345.tif 000034
【図３３】
2007166345.tif 000035
【図３４】
2007166345.tif 000036